(57)【要約】　　　（修正有）【課題】大きさや重さに規制されない装飾体を襟に装着可能で、好みに応じて別の装飾体に交換可能な装身具用の装飾体襟保持具を提供する。【解決手段】布製の装飾体１２には、内周縁に多数の小リング１４…が配設された涙粒形状の切欠部が形成されている。襟枠１１は小リング１４…を介して装飾体１２に挿着され、自己のばね力で首を挟持するように、ショールカラーの襟１１ａの首周り部に掛止される。その結果、大きさや重さに規制されない好みの装飾体１２を、襟１１ａの裏側の全長にわたって装着することができる。別の装飾体１２に変更する際には、まず小リング１４…から襟枠１１を抜き取り、その襟枠１１を別の装飾体の小リングに挿着すればよい。こうして、好みに応じて別の装飾体に交換することができる。【選択図】　　　　図１
2004113623.tif 000002
【特許請求の範囲】
【請求項１】
襟の首回り部に掛止され、装飾体が着脱自在に取り付けられる襟枠を備えた装身具用の装飾体襟保持具であって、
前記襟枠は、ばね力により首を挟持するように襟に掛止される装身具用の装飾体襟保持具。
【請求項２】
前記襟枠の少なくとも内周部に、緩衝部材を設けた請求項１に記載の装身具用の装飾体襟保持具。
【請求項３】
前記襟枠には、前記襟の周辺から離れた位置に装飾体を配置する分岐枠が突設された請求項１または請求項２に記載の装身具用の装飾体襟保持具。
【請求項４】
前記装飾体を、身体の一部およびまたは衣服の一部に補助的に掛止する掛止補助部材が取り付けられた請求項１〜請求項３のうち、何れか１項に記載の装身具用の装飾体襟保持具。
【請求項５】
襟の首回り部に掛止され、装飾体が着脱自在に取り付けられる襟枠を備えた装身具用の装飾体襟保持具であって、
前記襟枠は弾性または可撓性を有し、その両端部を連結部材により着脱自在に連結することで、前記首回り部に巻き付け状態で掛止される装身具用の装飾体襟保持具。
【請求項６】
前記襟枠の少なくとも内周部に、緩衝部材を設けた請求項５に記載の装身具用の装飾体襟保持具。
【請求項７】
前記襟枠には、前記襟の周辺から離れた位置に装飾体を配置する分岐枠が突設された請求項５または請求項６に記載の装身具用の装飾体襟保持具。
【請求項８】
前記装飾体を、身体の一部およびまたは衣服の一部に補助的に掛止する掛止補助部材が取り付けられた請求項５〜請求項７のうち、何れか１項に記載の装身具用の装飾体襟保持具。
【発明の詳細な説明】
【０００１】
【発明の属する技術分野】
この発明は装身具用の装飾体襟保持具、詳しくは衣服の襟に装飾体を装着する装身具用の装飾体襟保持具に関する。
【０００２】
【従来の技術】
上着の襟を飾る装身具用の装飾体襟保持具として、例えば（１）　特開平７−２７８９０２号公報の「ワイシャツ等のカラー用装身具」と、（２）　実開平６−３９９２１号公報の「えり止め」と、（３）　実開昭６２−９８５１８号公報の「襟先飾り金具」とが知られている。
（１）　の従来手段は、表面に宝石などの装飾体が固着された１対の支持部と、各支持部の裏面に配設された１対の挟持具とが一体化された本体を有し、ワイシャツなどのカラー（襟）の前面側に配された１対の開襟部を、対応する支持部と挟持具とによってそれぞれ挟持し、襟を装飾体により装飾する。
（２）　の従来手段は、表面に装飾体が固着された１対の係止具を鎖により連結し、各係止具により両開襟部を係止することで、襟を装飾体により装飾する。
（３）　の従来手段は、襟の先端部を包む金具本体の表側に飾り板を固着し、裏側に操作部と押さえ部とよりなる略Ｌ字状のレバーを回動自在に軸支し、この押さえ部と飾り板の裏面との間で襟を挟持することで、襟を装飾体により装飾する。
【０００３】
【発明が解決しようとする課題】
しかしながら、これらの従来の装身具用の装飾体襟保持具にあっては、以下に示す問題点があった。
すなわち、（１）　〜（３）　の従来手段は、何れも襟の前面側の両開襟部に、装飾体が固着された所定の係止部材を、装飾体を露出させた状態で係止する構造を採用したので、襟に装着することが可能な装飾体の大きさ、重さには限界があった。例えば、数十グラム程度の装飾体を開襟部に装着しただけで、襟が垂れて着崩れを起こしたり、薄い生地の場合には開襟部が破けたりするおそれがあった。
また、（１）　〜（３）　の従来手段によれば、装飾体は所定の係止部材に固着されていた。そのため、既製の装飾体ではない装飾体、例えばオリジナルな装飾体により襟を装飾することはできなかった。
【０００４】
そこで、発明者は、鋭意研究の結果、襟の首回り部に掛止され、装飾体が着脱自在に取り付けられる襟枠を備え、この襟枠がばね力により首を挟持するように襟に掛止されるか、襟枠の両端部を連結部材により着脱自在に連結して襟の首回り部に巻き付けるようにすれば、大きさや重さに規制されない好みの装飾体を任意に襟に装着することができることを知見し、この発明を完成させた。
【０００５】
【発明の目的】
この発明は、大きさや重さに規制されない装飾体を襟に装着することができ、しかも好みに応じて別の装飾体に交換することができる装身具用の装飾体襟保持具を提供することを、その目的としている。
また、この発明は、襟枠による首の締め付け感を緩和することができ、しかも、襟枠が位置ずれしにくい装身具用の装飾体襟保持具を提供することを、その目的としている。
さらに、この発明は、襟の周辺から離れた位置に装飾体を配置することができる装身具用の装飾体襟保持具を提供することを、その目的としている。
【０００６】
【課題を解決するための手段】
請求項１に記載の発明は、襟の首回り部に掛止され、装飾体が着脱自在に取り付けられる襟枠を備えた装身具用の装飾体襟保持具であって、前記襟枠は、ばね力により首を挟持するように襟に掛止される装身具用の装飾体襟保持具である。襟の種類は限定されない。例えば、スタンドカラー，テーラーカラー，シャツカラー，ステンカラー，ショールカラー，オープンカラー，セーラーカラー，フラットカラー，詰め襟，タートルネックなどを採用することができる。
襟の首回り部とは、襟くび（首の後ろの部分）を含む首回りの部分をいう。例えば、テーラーカラーやショールカラーの前部のように、大きく開いた胸元に配置される部分は除く。
装飾体の素材、形状、大きさなどは限定されない。例えば、生花，造花，ベル，旗，ちょうちん，のれん，びん，缶，時計，美術品，工芸品などを採用することができる。
【０００７】
装飾体は、襟枠を介して、襟に直接取り付けてもよい。または、襟枠から分岐された分岐枠により間接的に取り付けてもよい。
また、装飾体は、使用者の前方に向けてもよいし、上方に向けてもよい。さらには、使用者の後方または下方に向けてもよい。
装飾体の襟枠に対する掛止構造は限定されない。
襟枠は、襟の内側に取り付けてもよい。または、襟の外側に取り付けてもよい。
襟枠にばね力を付与する方法としては、例えば襟枠自体をばね材で設ける方法、襟枠にばね材を取り付ける方法などを採用することができる。ばね材としては、例えばコイルばね，線状のばねなどの一般的なばね材が挙げられる。その他、ゴムや弾性を有する各種の軟質合成樹脂などでもよい。要は、そのばね力により、首を挟持するように襟に掛止できればよい。
【０００８】
請求項２に記載の発明は、前記襟枠の少なくとも内周部に、緩衝部材を設けた請求項１に記載の装身具用の装飾体襟保持具である。
緩衝部材の種類は限定されない。例えば、ゴム、各種の軟質合成樹脂（軟質ピリプロピレン，軟質ポリエチレンなど）を採用することができる。軟質合成樹脂には、発泡性の合成樹脂を含む。
襟枠における緩衝部材の設置範囲は限定されない。
【０００９】
請求項３に記載の発明は、前記襟枠には、前記襟の周辺から離れた位置に装飾体を配置する分岐枠が突設された請求項１または請求項２に記載の装身具用の装飾体襟保持具である。
分岐枠は、襟枠と一体的に形成してもよい。または別体で形成してもよい。分岐枠の素材は限定されない。襟枠と同じ素材でも別の素材でもよい。分岐枠の長さ、太さなどは限定されない。
【００１０】
請求項４に記載の発明は、前記装飾体を、身体の一部およびまたは衣服の一部に補助的に掛止する掛止補助部材が取り付けられた請求項１〜請求項３のうち、何れか１項に記載の装身具用の装飾体襟保持具である。
身体の一部としては、例えば肩、腕、頭、耳、首、胸、背中などが挙げられる。
衣服の一部としては、例えば上着の身ごろなどが挙げられる。
掛止補助部材は、装飾体と一体的に形成してもよい。または別体でもよい。
掛止補助部材は身体の一部に掛止してもよい。または衣服の一部に掛止してもよい。さらには、身体の一部と衣服の一部とにそれぞれ掛止してもよい。
掛止補助部材の素材、形状、大きさなどは限定されない。
【００１１】
請求項５に記載の発明は、襟の首回り部に掛止され、装飾体が着脱自在に取り付けられる襟枠を備えた装身具用の装飾体襟保持具であって、前記襟枠は弾性または可撓性を有し、その両端部を連結部材により着脱自在に連結することで、前記首回り部に巻き付け状態で掛止される装身具用の装飾体襟保持具である。
ここでいう襟枠としては、例えばばね力により首を挟持するように襟に掛止される弾性部材からなるものを採用することができる。その他、可撓性を有する部材からなるものでもよい。
連結部材の素材、形状、大きさなどは限定されない。例えば、各種の合成樹脂製の連結ボール，任意形状を有する合成樹脂製の連結ブロックなどを採用することができる。
【００１２】
請求項６に記載の発明は、前記襟枠の少なくとも内周部に、緩衝部材を設けた請求項５に記載の装身具用の装飾体襟保持具である。
【００１３】
請求項７に記載の発明は、前記襟枠には、前記襟の周辺から離れた位置に装飾体を配置する分岐枠が突設された請求項５または請求項６に記載の装身具用の装飾体襟保持具である。
【００１４】
請求項８に記載の発明は、前記装飾体を、身体の一部およびまたは衣服の一部に補助的に掛止する掛止補助部材が取り付けられた請求項５〜請求項７のうち、何れか１項に記載の装身具用の装飾体襟保持具である。
【００１５】
【作用】
請求項１の発明または請求項５の発明によれば、弾性を有する襟枠が自己のばね力によって首を挟持するように襟の首周り部に掛止されるか、弾性または可撓性を有する襟枠を首回り部に巻き付けた後、襟枠の両端部を連結部材によって着脱自在に連結する。これにより、大きさや重さに規制されない好みの装飾体を、襟の首周り部に装着することができる。
【００１６】
特に、請求項２および請求項６の発明によれば、襟枠の少なくとも内周部に緩衝部材を設けたので、襟枠による首の締め付け感が緩和される。しかも、襟枠が首周り部にフィットする。そのため、この緩衝部材が滑り止めとなり、首を動かしても襟枠が位置ずれしにくい。
【００１７】
また、請求項３および請求項７の発明によれば、襟枠に突設された分岐枠に装飾体を取り付ける。これにより、襟の周辺から離れた位置に装飾体を配置することができる。
【００１８】
さらに、請求項４および請求項８の発明によれば、襟枠とは別に、掛止補助部材によって装飾体を身体の一部およびまたは衣服の一部に補助的に掛止する。これにより、例えば大きくて重い装飾体でも、安定して襟に装着することができる。
【００１９】
【発明の実施の形態】
以下、図面を参照し、この発明の実施例を説明する。まず、図１〜図３を参照して第１の実施例を説明する。
図１〜図３において１０は、この発明の第１の実施例の装身具用の装飾体襟保持具（以下、装飾体襟保持具）で、この装飾体襟保持具１０は、上着１１の首回り部を含む襟１１ａに掛止され、装飾体１２が着脱自在に取り付けられる襟枠１３を備えている。
上着１１は婦人用で、襟１１ａの種類はショールカラーである。装飾体１２は、展開視して矩形状の装飾布で、その長辺は使用者の胸元から背中の肩部まで達する長さを有している。装飾体１２には、その前縁の中間部から後端部付近の領域にかけて、展開視して涙粒形状を有する切欠部が形成されている。切欠部の内周縁には、全長にわたって所定ピッチで多数個の小リング１４…が配設されている。各小リング１４…には、涙粒形状に湾曲された１本の細いピアノ線からなる襟枠１３が内挿されている。この襟枠１３は、襟１１ａの略全長の長さを有している。
【００２０】
第１の実施例の装飾体襟保持具１０の使用時には、まずばね力に抗して襟枠１３の両端部を外方に開く。次に、開口された襟枠１３を使用者の背中側から襟１１ａの裏側の全長にわたって差し込む。これにより、襟枠１３が自己のばね力によって、使用者の首回り部を挟持するように襟１１ａの裏側に掛止される。こうして、布製の装飾体１２により、使用者の胸元から背中の肩部までが飾られる。ここでいう襟１１ａの裏側とは、上着１１の裏地側ではなく、前身ごろと対峙する裏襟の側を意味する。したがって、使用中、襟枠１３は使用者の首に接しない。
別の装飾体に交換する際には小リング１４…から襟枠１３を抜き取り、別の装飾体の小リングに襟枠１３を挿着すればよい。
このように、襟枠１３が自己のばね力により首を挟持するように襟１１ａの首周り部に掛止されるので、大きさや重さに規制されない好みの装飾体１２を、襟１１ａの首周り部に装着することができる。しかも、装飾体１２を襟１１ａに装着する際、従来のようにピンを襟に刺したり、ばね力が大きいピンチなどで襟を挟んだりしない。そのため、襟１１ａを傷めにくい。また、襟枠１３が襟１１ａの略全長の長さを有しているため、大判の布製の装飾体１２でもその自重により肩から滑り落ちにくい。
【００２１】
次に、図４および図５を参照し、この発明の第２の実施例を説明する。
第２の実施例の装飾体襟保持具２０の特徴は、テーラーカラーの襟１１ｂの首回り部の裏側だけに襟枠１３Ａが掛止され、襟枠１３Ａの両端部が襟１１ｂの外まで屈曲し、各屈曲部の先端に造花製の装飾体１２Ａ，１２Ａがそれぞれ着脱自在に取り付けられた点である。
襟枠１３Ａの両端部の屈曲角度は、それぞれ略５０度である。
装飾体１２Ａ，１２Ａが軽量であるので、このように襟枠１３Ａが襟１１ｂの首回り部の裏側だけに掛止されるものでも、十分に装飾体１２Ａ，１２Ａを襟１１ｂに掛止することができる。また、襟１１ｂの外まで屈曲した襟枠１３Ａの両端部に２つの装飾体１２Ａ，１２Ａを、図示しない掛止用のフックに掛止することで取り付けたので、これらの装飾体１２Ａ，１２Ａにより、襟１１ｂの前部の両側をそれぞれ飾ることができる。
装飾体１２Ａ，１２Ａの交換時には、襟枠１３Ａの両端部から装飾体１２Ａ，１２Ａを取り外し、別種類の１対の装飾体をフックを介して襟枠１３Ａの両端部にそれぞれ取り付ければよい。
その他の構造、作用、効果は第１の実施例より推測可能な範囲であるので、説明を省略する。
【００２２】
図６には、この発明の第３の実施例を示す。
第３の実施例の装飾体襟保持具３０の特徴は、テーラーカラーの襟１１ｂの略全長の長さを有する襟枠１３Ｂの一端部を延長し、この延長部分を外方に折り返すとともに、螺旋状に屈曲させて螺旋部１３ａを形成した点である。
螺旋部１３ａは、大輪の造花製である装飾体１２Ｂの茎が着脱自在に挿入される。装飾体１２Ｂは襟１１ｂの前部を飾る。
このように、襟１１ｂの略全長の長さを有する襟枠１３Ｂの一端部を延長し、その延長部分を折り返して得られた螺旋部１３ａに装飾体１２Ｂを着脱自在に取り付けたので、好みに合わせて選ばれた大型の装飾体１２Ｂを、胸元に安定して装着することができる。
その他の構造、作用、効果は第１の実施例より推測可能な範囲であるので、説明を省略する。
【００２３】
図７には、この発明の第４の実施例を示す。
第４の実施例の装飾体襟保持具４０の特徴は、テーラーカラーの襟１１ｂの首回り部の裏側だけに襟枠１３Ｃが掛止され、襟枠１３Ｃの両端部が襟１１ｂの外まで屈曲し、各屈曲部の先端部をそれぞれ延長し、両延長部分に雷形状の装飾体１２Ｃ，１２Ｃをそれぞれ形成した点である。
両装飾体１２Ｃ，１２Ｃは、襟１１ｂの両端部をそれぞれ装飾する。
その他の構造、作用、効果は第２の実施例より推測可能な範囲であるので、説明を省略する。
【００２４】
図８には、この発明の第５の実施例を示す。
第５の実施例の装飾体襟保持具５０の特徴は、ショールカラーの襟１１ａの裏側全体に襟枠１３Ｄが掛止され、襟枠１３Ｄの長さ方向の中間部、言い換えれば襟くびとの対峙部分に、ミニチュア化されたランドセルである装飾体１２Ｄを、フック５１を介して掛止した点である。
ランドセルはミニチュアでも造花などより重い。その対策として、襟枠１３Ｄの両端を外方に屈曲し、１対の屈曲部１３ｂ，１３ｂをそれぞれ形成する。使用時には、両屈曲部１３ｂ，１３ｂと襟枠１３Ｄの両端部付近との間で、襟１１ａの両端を内外方向から挟持する。これにより、装飾体１２Ｄの自重で装飾体１２Ｄが襟枠１３Ｄとともに、ずれ落ちるのを防ぐことができる。
その他の構造、作用、効果は第１の実施例より推測可能な範囲であるので、説明を省略する。
【００２５】
図９および図１０には、この発明の第６の実施例を示す。
第６の実施例の装飾体襟保持具６０では、テーラーカラーの襟１１ｂの裏側全体に襟枠１３Ｅが掛止され、襟枠１３Ｅの一端部が延長され、その延長部１３ｃが略襟枠１３Ｅの全長にわたって折り返されている。延長部１３ｃは、襟枠１３Ｅの他端付近まで達したところで、脇下に向かって略９０度の角度で屈曲される。この屈曲部が、襟１１ｂの周辺から離れた位置に装飾体１２Ｅを配置する分岐枠１３ｄとなる。装飾体１２Ｅは大型の時計である。装飾体１２Ｅは、裏面に突設されたフック１２ａを介して、分岐枠１３ｄの中間部に掛止される。分岐枠１３ｄの先端には小さなフック部が形成されている。フック部には、肩に通されたリング形状を有する掛止補助部材１３ｅの下端部が掛止されている。掛止補助部材１３ｅは、重い装飾体１２Ｅを補助的に肩に掛止する。
図１１には、時計の装飾体１２Ｅに代えて一輪挿しの装飾体１２Ｆを分岐枠１３ｄに掛止した例を示す。
【００２６】
このように、襟枠１３Ｅに突設された分岐枠１３ｄに装飾体１２Ｅを取り付けるので、襟１１ｂの周辺から離れた位置に装飾体１２Ｅを配置することができる。また、襟枠１３Ｅとは別に、掛止補助部材１３ｅによって装飾体１２Ｅを肩に補助的に掛止するので、大型で重い時計でも安定して襟１１ｂに装着することができる。
その他の構造、作用、効果は第１の実施例より推測可能な範囲であるので、説明を省略する。
【００２７】
図１２および図１３には、この発明の第７の実施例を示す。
第７の実施例の装飾体襟保持具７０では、ショールカラーの襟１１ａの裏側全体に襟枠１３Ｇが掛止され、襟枠１３Ｇの一端部が延長され、その延長部１３ｃが襟枠１３Ｇに沿って折り返されている。延長部１３ｃは、襟枠１３Ｇの他端付近まで達したところで、胸のポケット１１ｄに向かって略９０度の角度で屈曲される。この屈曲部が分岐枠１３ｄとなる。装飾体１２Ｇはミニチュア化されたバスケットボールのゴール板である。装飾体１２Ｇは、ポケット１１ｄに入れて保持される。ポケット１１ｄを利用するので、装飾体１２Ｇの安定性が高まる。
分岐枠１３ｄの元部には凹み１３ｆが形成され、正確な屈曲位置で簡単に屈曲できるようになっている。襟枠１３Ｇの折り返し部分には、襟枠１３Ｇと分岐枠１３ｄとに一括して挿着される環止め７１が取り付けられている。装飾体襟保持具７０を外す際には、装飾体１２Ｇをポケット１１ｄから抜き取るとともに、分岐枠１３ｄから外す。次いで、屈曲した分岐枠１３ｄを伸ばし、環止め７１を分岐枠１３ｄの位置まで摺動させる。これにより、重いゴール板の装飾体１２Ｇであっても、取り扱い中、自重で分岐枠１３ｄが凹み１３ｆを中心にして屈曲しにくい。
その他の構造、作用、効果は第１の実施例より推測可能な範囲であるので、説明を省略する。
【００２８】
図１４および図１５には、この発明の第８の実施例を示す。
第８の実施例の装飾体襟保持具８０では、襟１１ｂの裏側全体に襟枠１３Ｈが掛止され、襟枠１３Ｈの襟くびとの対峙部分に、両肩に向かって延びる分岐枠１３ｄ，１３ｄをそれぞれ連結されている。分岐枠１３ｄ，１３ｄの各先端には、対応する肩の頂上部を挟持する小さなフック部１３ｇ，１３ｇがそれぞれ形成されている。分岐枠１３ｄ，１３ｄの両端部には、ミニチュア化された旗である１対の装飾体１２Ｈ，１２Ｈが立設されている。また、分岐枠１３ｄ，１３ｄの両端部には、肩に通されたリング形状を有する掛止補助部材１３ｅ，１３ｅの上端部が掛止されている。掛止補助部材１３ｅ，１３ｅは、分岐枠１３ｄ，１３ｄの振れを防ぐとともに、重い装飾体１２Ｈを補助的に肩に掛止する。フック部１３ｇ，１３ｇおよび掛止補助部材１３ｅ，１３ｅにより、１対のミニチュア化された旗製の装飾体１２Ｈ，１２Ｈを、両肩の上にしっかりと固定することができる。また、フック部１３ｇ，１３ｇにゴム製などのずれ止めを取り付ければ、装飾体１２Ｈ，１２Ｈがよりずれにくい。
その他の構造、作用、効果は第１の実施例より推測可能な範囲であるので、説明を省略する。
【００２９】
図１６には、この発明の第９の実施例を示す。
第９の実施例の装飾体襟保持具９０では、外周面にずれ止め用の植毛部１３ｈが固着された襟枠１３Ｉを有し、襟枠１３Ｉの襟くびとの対峙部分に、一方の肩に向かって延びる分岐枠１３ｄが連結されている。分岐枠１３ｄの先端部には、肩上に配置される立体アートである装飾体１２Ｉが一体形成されている。また、分岐枠１３ｄの先端には小さなフック部１３ｉが形成されている。このフック部１３ｉには、リング形状の掛止補助部材１３ｅの上端部が掛止されている。
襟枠１３Ｉの外周面に植毛部１３ｈを固着したので、大きな装飾体１２Ｉであっても、装飾体１２Ｉの重さで襟枠１３Ｉが襟１１ｂから抜けにくい。
その他の構造、作用、効果は第１の実施例より推測可能な範囲であるので、説明を省略する。
【００３０】
図１７および図１８には、この発明の第１０の実施例を示す。
第１０の実施例の装飾体襟保持具１００では、タートルネックの襟１１ｃに、螺旋状に巻き付けられる襟枠１３Ｊを有し、襟枠１３Ｊの上端部を延長して分岐枠１３ｄを一体形成している。分岐枠１３ｄの先端部には、小鳥の模型である装飾体１２Ｊが固定されている。分岐枠１３ｄの先端には小さなフック部が形成されている。このフック部には、大径なリング形状の掛止補助部材１３ｅの上端部が掛止されている。襟枠１３Ｊの元部には、ゴム製の滑り止めが固着されている。
使用時には、襟枠１３Ｊを広げて頭から被り、これをタートルネックの襟１１ｃに外方から巻き付ける。その後、フック部に掛止補助部材１３ｅを掛止し、装飾体１２Ｊを肩の上方に固定する。
その他の構造、作用、効果は第１の実施例より推測可能な範囲であるので、説明を省略する。
【００３１】
図１９〜図２１には、この発明の第１１の実施例を示す。
第１１の実施例の装飾体襟保持具１１０では、襟１１ａの裏側全体に襟枠１３Ｋが掛止され、襟枠１３Ｋの一端部を襟くびとの対峙部分まで延長し、その先になだらかなに湾曲した分岐枠１３ｄが一体形成されている。分岐枠１３ｄの先端部には、小型の提灯である装飾体１２Ｋが固定されている。装飾体１２Ｋの下端部には図示しない小さなフック部が形成されている。フック部には、肩に通された掛止補助部材１３ｅの上端部が掛止されている。
襟枠１３Ｋの両端部には、外方に屈曲した１対の屈曲部１３ｊ，１３ｊがそれぞれ形成されている。使用時には、両屈曲部１３ｊ，１３ｊと襟枠１３Ｋの両端部付近との間で、襟１１ａの両端を内外方向から挟持することで、装飾体１２Ｋの自重による襟枠１３Ｋのずれを防止することができる。
その他の構造、作用、効果は第１の実施例より推測可能な範囲であるので、説明を省略する。
【００３２】
図２２〜図２４には、この発明の第１２の実施例を示す。
第１２の実施例の装飾体襟保持具１２０では、タートルネックの襟１１ｃに前方向から掛止されるリング形状の襟枠１３Ｌを有し、襟枠１３Ｌの両端部を延長して両側の耳の裏まで達する分岐枠１３ｄ，１３ｄが一体形成されている。両分岐枠１３ｄ，１３ｄの先端部には、耳たぶの付け根の裏に存在する凹みに当てがわれる小玉１２１，１２１がそれぞれ固着されている。両小玉１２１，１２１は、ゴム製のずれ止め１２１ａ，１２１ａによって被われている。また、両小玉１２１，１２１には、なだらかに円弧を描く１対の装飾紐である装飾体１２Ｌ，１２Ｌがそれぞれ垂れ下がっている。小玉１２１，１２１に加えて、耳たぶに掛止される小型のクリップ１２２，１２２を使用すれば、装飾体１２Ｌ，１２Ｌの耳たぶからの位置ずれを確実に防ぐことができる。
その他の構造、作用、効果は第１の実施例より推測可能な範囲であるので、説明を省略する。
【００３３】
図２５および図２６には、この発明の第１３の実施例を示す。
第１３の実施例の装飾体襟保持具１３０では、タートルネックの襟１１ｃに螺旋状の襟枠１３Ｍを巻き付け、襟枠１３Ｍの上端部を延長して一方の耳まで達する分岐枠１３ｄが一体形成されている。分岐枠１３ｄの先端部には、短尺な連結キャップ１３１を介して、片耳に被せられた装飾体１２Ｍの線状の連結部が連結されている。装飾体１２Ｍは、ピアノ線を椀型のような立体的な渦巻き形状に湾曲させたベース体１３２と、このベース体１３２を外方から被う伸縮自在なネット１３３とを有している。連結キャップ１３１は、ベース体１３２の外側の端部に固着されている。
使用時には、襟枠１３Ｍを襟１１ｃに巻き付け、片方の耳に装飾体１２Ｍを被せる。そして、連結キャップ１３１を介して、ベース体１３２と分岐枠１３ｄとを連結する。
このように、分岐枠１３ｄを介して、耳を被う大きな装飾体１２Ｍであってもしっかりと耳に固定することができる。
その他の構造、作用、効果は第１の実施例より推測可能な範囲であるので、説明を省略する。
【００３４】
図２７および図２８には、この発明の第１４の実施例を示す。
第１４の実施例の装飾体襟保持具１４０では、シャツカラーの襟１１ｄの裏側の略全体に、Ｕ字形状を有するピアノ線製の襟枠１３Ｐが挿入されている。ピアノ線に代えて可撓性の部材でもよい。襟枠１３Ｐの内周面には、首の締め付け感を和らげる発泡性合成樹脂製の緩衝部材１４３が固着されている。襟枠１３Ｐの両端部は外方に屈曲され、連結ボール１４１の図示しない小穴に着脱自在に挿着されている。連結ボール１４１には、顎下の凹みまで延びる分岐枠１３ｄが突設されている。分岐枠１３ｄの先端には、顎下の凹みに当てがわれる小玉１４２が固着されている。小玉１４２の外周面は、ずれ止め用のゴムで被われている。また、小玉１４２には、下端に飾り玉が固着された短尺な金属紐である装飾体１２Ｐが吊下されている。
使用時には、襟１１ｄの裏側に襟枠１３Ｐを挿入し、Ｕ字形状の襟枠１３Ｐがリンク形状になるように襟枠１３Ｐの両端部を引き寄せ、その後、両端部を重ね合わせ、これらを連結ボール１４１により連結する。
顎下という新しい装飾位置に、違和感が少なく、装飾体１２Ｐを配置することができる。
その他の構造、作用、効果は第１の実施例より推測可能な範囲であるので、説明を省略する。
【００３５】
図２９には、この発明の第１５の実施例を示す。
第１５の実施例の装飾体襟保持具１５０では、タートルネックの襟１１ｃに環状の襟枠１３Ｑを掛止し、連結キャップ１３１を介して、首にゆとりを持って巻き付けられる螺旋形状の装飾体１２Ｑが、襟枠１３Ｑに着脱自在に連結されている。襟枠１３Ｑは、１本の太い鋼線をリング形状に湾曲させたもので、繋ぎ目に隙間が形成されている。太い鋼線であるため、湾曲の自由度は小さい。襟枠１３Ｑの両端部にはフック１３ｍ，１３ｍが形成されている。
使用時には、襟枠１３Ｑの両端部を握って両外方向に引く。すると、繋ぎ目が広がって襟１１ｃに襟枠１３Ｑを着脱可能になる。襟枠１３Ｑを襟１１ｃに装着した後、両フック１３ｍ，１３ｍをゴムなどの弾性体からなる連結リング（連結部材）１５１に掛止する。これにより、首に巻き付くように襟枠１３Ｑが襟１１ｃに掛止される。
その他の構造、作用、効果は第１の実施例より推測可能な範囲であるので、説明を省略する。
【００３６】
図３０および図３１には、この発明の第１６の実施例を示す。
第１６の実施例の装飾体襟保持具１６０では、シャツカラーの襟１１ｄの裏側の略全体に、環状の襟枠１３Ｒが着脱自在に内挿されている。襟枠１３Ｒは、１本の太い鋼線をリング形状に湾曲させたものである。襟枠１３Ｒの両端部は、若干重なっている。襟１１ｄの両開襟部の間には、下方に向かって徐々に先細り化した略三角形状を有する連結ブロック１６１が配置されている。連結ブロック１６１の上端部には、１対の貫通孔が形成されている。使用時、襟枠１３Ｒが貫通孔の一方に遊挿され、他方の貫通孔に大径な装飾リングである装飾体１２Ｒが遊挿されている。
その他の構造、作用、効果は第１の実施例より推測可能な範囲であるので、説明を省略する。
【００３７】
【発明の効果】
請求項１の発明または請求項５の発明によれば、弾性を有する襟枠が自己のばね力によって首を挟持するように襟の首周り部に掛止されるか、弾性または可撓性を有する襟枠を首回り部に巻き付けた後、襟枠の両端部を連結部材によって着脱自在に連結するので、大きさや重さに規制されない好みの装飾体を、襟の首周り部に装着することができる。
【００３８】
特に、請求項２および請求項６の発明によれば、襟枠の少なくとも内周部に緩衝部材を設けたので、襟枠による首の締め付け力が緩和される。しかも、襟枠が首周り部にフィットするので、緩衝部材が滑り止めの機能を果たし、首を動かしても襟枠が位置ずれしにくい。
【００３９】
また、請求項３および請求項７の発明によれば、襟枠に突設された分岐枠に装飾体を取り付けるので、襟の周辺から離れた位置に装飾体を配置することができる。
【００４０】
さらに、請求項４および請求項８の発明によれば、襟枠とは別に、掛止補助部材により装飾体を身体の一部およびまたは衣服の一部に補助的に掛止するので、装飾体の重さや大きさに拘わりなく、より以上に安定的に装飾体を襟に装着することができる。
【図面の簡単な説明】
【図１】この発明の第１の実施例に係る装身具用の装飾体襟保持具の使用状態を示す正面図である。
【図２】（ａ）は、この発明の第１の実施例に係る装身具用の装飾体襟保持具の展開図である。
（ｂ）は、図２（ａ）の要部拡大図である。
【図３】この発明の第１の実施例に係る装身具用の装飾体襟保持具の使用状態を示す背面図である。
【図４】この発明の第２の実施例に係る装身具用の装飾体襟保持具の使用状態を示す正面図である。
【図５】この発明の第２の実施例に係る装身具用の装飾体襟保持具の平面図である。
【図６】（ａ）は、この発明の第３の実施例に係る装身具用の装飾体襟保持具の使用状態を示す正面図である。
（ｂ）は、図６（ａ）の要部拡大図である。
【図７】この発明の第４の実施例に係る装身具用の装飾体襟保持具の使用状態を示す正面図である。
【図８】（ａ）は、この発明の第５の実施例に係る装身具用の装飾体襟保持具の使用状態を示す側面図である。
（ｂ）は、装飾体の側面図である。
（ｃ）は、図８（ａ）の一部断面図を含む要部拡大図である。
【図９】（ａ）は、この発明の第６の実施例に係る装身具用の装飾体襟保持具の使用状態を示す正面図である。
（ｂ）は、装飾体の側面図である。
【図１０】この発明の第６の実施例に係る装身具用の装飾体襟保持具を示す正面図である。
【図１１】（ａ）は、この発明の第６の実施例に係る別の装飾体が取り付けられた装身具用の装飾体襟保持具を示す正面図である。
（ｂ）は、別の装飾体の側面図である。
【図１２】この発明の第７の実施例に係る装身具用の装飾体襟保持具の使用状態を示す正面図である。
【図１３】（ａ）は、この発明の第７の実施例に係る装身具用の装飾体襟保持具の使用状態を示す一部断面図を含む要部拡大正面図である。
（ｂ）は、この発明の第７の実施例に係る装身具用の装飾体襟保持具の使用方法を説明する要部拡大断面図である。
（ｃ）は、この発明の第７の実施例に係る装身具用の装飾体襟保持具の使用状態を示す要部拡大断面図である。
【図１４】（ａ）は、この発明の第８の実施例に係る装身具用の装飾体襟保持具の使用状態を示す正面図である。
（ｂ）は、図１４（ａ）の要部拡大図である。
【図１５】この発明の第８の実施例に係る装身具用の装飾体襟保持具の正面図である。
【図１６】（ａ）は、この発明の第９の実施例に係る装身具用の装飾体襟保持具の使用状態を示す正面図である。
（ｂ）は、図１６（ａ）の要部を側面視した図である。
（ｃ）は、図１６（ａ）の他の要部の拡大図である。
【図１７】この発明の第１０の実施例に係る装身具用の装飾体襟保持具の使用状態を示す正面図である。
【図１８】この発明の第１０の実施例に係る装身具用の装飾体襟保持具の使用状態を示す背面図である。
【図１９】この発明の第１１の実施例に係る装身具用の装飾体襟保持具の使用状態を示す正面図である。
【図２０】この発明の第１１の実施例に係る装身具用の装飾体襟保持具の平面図である。
【図２１】この発明の第１１の実施例に係る装身具用の装飾体襟保持具の使用状態を示す背面図である。
【図２２】この発明の第１２の実施例に係る装身具用の装飾体襟保持具の使用状態を示す側面図である。
【図２３】（ａ）は、この発明の第１２の実施例に係る装身具用の装飾体襟保持具の斜視図である。
（ｂ）は、図２２の一部断面図を含む要部拡大図である。
【図２４】（ａ）は、この発明の第１２の実施例に係る装身具用の装飾体襟保持具の使用状態における要部拡大正面図である。
（ｂ）は、この発明の第１２の実施例に係る装身具用の装飾体襟保持具の使用状態における要部拡大断面図である。
【図２５】（ａ）は、この発明の第１３の実施例に係る装身具用の装飾体襟保持具の使用状態を示す側面図である。
（ｂ）は、この発明の第１３の実施例に係る装身具用の装飾体襟保持具の一部破断図を含む要部拡大正面図である。
（ｃ）は、図２５（ｂ）の要部拡大断面図である。
【図２６】（ａ）は、この発明の第１３の実施例に係る装身具用の装飾体襟保持具の使用状態を示す一部断面図を含む背面図である。
（ｂ）は、図２６（ａ）の要部拡大図である。
【図２７】この発明の第１４の実施例に係る装身具用の装飾体襟保持具の使用状態を示す側面図である。
【図２８】この発明の第１４の実施例に係る装身具用の装飾体襟保持具の平面図である。
【図２９】（ａ）は、この発明の第１５の実施例に係る装身具用の装飾体襟保持具の使用状態を示す側面図である。
（ｂ）は、この発明の第１５の実施例に係る装身具用の装飾体襟保持具の装飾体を連結している状態を示す一部断面図を含む要部側面図である。
【図３０】この発明の第１６の実施例に係る装身具用の装飾体襟保持具の使用状態を示す正面図である。
【図３１】この発明の第１６の実施例に係る装身具用の装飾体襟保持具の使用状態を示す側面図である。
【符号の説明】
１０，２０，３０，４０，５０，６０，７０　装身具用の装飾体襟保持具、
８０，９０，１００，１１０，１２０　装身具用の装飾体襟保持具、
１３０，１４０，１５０，１６０　装身具用の装飾体襟保持具、
１１ａ〜１１ｄ　襟、
１２，１２Ａ〜１２Ｒ　装飾体、
１３，１３Ａ〜１３Ｒ　襟枠、
１３１　緩衝部材、
１３ｄ　分岐枠、
１３ｅ　掛止補助部材、
１５１　連結リング（連結部材）。
【図１】
2004113623.tif 000003
【図２】
2004113623.tif 000004
【図３】
2004113623.tif 000005
【図４】
2004113623.tif 000006
【図５】
2004113623.tif 000007
【図６】
2004113623.tif 000008
【図７】
2004113623.tif 000009
【図８】
2004113623.tif 000010
【図９】
2004113623.tif 000011
【図１０】
2004113623.tif 000012
【図１１】
2004113623.tif 000013
【図１２】
2004113623.tif 000014
【図１３】
2004113623.tif 000015
【図１４】
2004113623.tif 000016
【図１５】
2004113623.tif 000017
【図１６】
2004113623.tif 000018
【図１７】
2004113623.tif 000019
【図１８】
2004113623.tif 000020
【図１９】
2004113623.tif 000021
【図２０】
2004113623.tif 000022
【図２１】
2004113623.tif 000023
【図２２】
2004113623.tif 000024
【図２３】
2004113623.tif 000025
【図２４】
2004113623.tif 000026
【図２５】
2004113623.tif 000027
【図２６】
2004113623.tif 000028
【図２７】
2004113623.tif 000029
【図２８】
2004113623.tif 000030
【図２９】
2004113623.tif 000031
【図３０】
2004113623.tif 000032
【図３１】
2004113623.tif 000033
【手続補正書】
【提出日】平成15年3月10日(2003.3.10)
【手続補正１】
【補正対象書類名】明細書
【補正対象項目名】全文
【補正方法】変更
【補正の内容】
【特許請求の範囲】
【請求項１】襟の首回り部に掛止され、装飾体が着脱自在に取り付けられる襟枠を備えた装身具用の装飾体襟保持具であって、
前記襟枠は、ばね力により首を挟持するように襟に掛止され、
前記襟枠には、前記襟の周辺から離れた位置に装飾体を配置する線状の分岐枠が外方に向かって突設された装身具用の装飾体襟保持具。
【請求項２】前記装飾体を、身体の片方の脇の回りおよびまたは衣服の片方の脇の回り部に補助的に掛止する掛止補助部材が、前記分岐枠に連結された状態で取り付けられた請求項１に記載の装身具用の装飾体襟保持具。
【請求項３】前記襟枠の一端部には、該襟枠に沿って折り返された延長部が形成され、この延長部の先端に凹み部分を介して前記分岐枠が外方に向かって屈曲自在に形成され、前記襟枠の折り返し部分には、該襟枠と分岐枠とに一括して挿着可能な環止めが取り付けられた請求項１または請求項２に記載の装身具用の装飾体襟保持具。
【請求項４】襟の首回り部に掛止され、装飾体が着脱自在に取り付けられる襟枠を備えた装身具用の装飾体襟保持具であって、
前記襟枠は弾性または可撓性を有し、その両端部を連結部材により着脱自在に連結することで、前記首回り部に巻き付け状態で掛止され、
前記襟枠には、前記襟の周辺から離れた位置に装飾体を配置する線状の分岐枠が外方に向かって突設された装身具用の装飾体襟保持具。
【請求項５】前記装飾体を、身体の片方の脇の回りおよびまたは衣服の片方の脇の回り部に補助的に掛止する掛止補助部材が、前記分岐枠に連結された状態で取り付けられた請求項４に記載の装身具用の装飾体襟保持具。
【請求項６】襟の首回り部に掛止され、装飾体が着脱自在に取り付けられる襟枠を備えた装身具用の装飾体襟保持具であって、
前記襟枠は、ばね力により首を挟持するように襟に掛止されるとともに、該襟の略全長の長さを有するピアノ線で、
前記装飾体は、胸元から背中の肩部まで達する長さを有した装飾布であるとともに、その前縁の中間部から後端部付近の領域にかけて切欠部が形成され、
該切欠部の内周縁には、全長にわたって襟枠が内挿される多数個の小リングが所定ピッチで配設された装身具用の装飾体襟保持具。
【請求項７】襟の首回り部に掛止され、装飾体が着脱自在に取り付けられる襟枠を備えた装身具用の装飾体襟保持具であって、
前記襟枠は、ばね力により首を挟持するように襟に掛止されるとともに、該襟の裏側全体に掛止される長さを有し、
この襟枠の両端部には、該襟枠の両端部付近との間で襟の両端を内外方向から挟持する１対の屈曲部が、それぞれ外方に屈曲した状態で形成された装身具用の装飾体襟保持具。
【発明の詳細な説明】
【０００１】
【発明の属する技術分野】
この発明は装身具用の装飾体襟保持具、詳しくは衣服の襟に装飾体を装着する装身具用の装飾体襟保持具に関する。
【０００２】
【従来の技術】
上着の襟を飾る装身具用の装飾体襟保持具として、例えば（１）特許文献１のものと、（２）特許文献２のものと、（３）特許文献３のものとが知られている。
（１）　の従来手段は、表面に宝石などの装飾体が固着された１対の支持部と、各支持部の裏面に配設された１対の挟持具とが一体化された本体を有し、ワイシャツなどのカラー（襟）の前面側に配された１対の開襟部を、対応する支持部と挟持具とによってそれぞれ挟持し、襟を装飾体により装飾する。
（２）　の従来手段は、表面に装飾体が固着された１対の係止具を鎖により連結し、各係止具により両開襟部を係止することで、襟を装飾体により装飾する。
（３）　の従来手段は、襟の先端部を包む金具本体の表側に飾り板を固着し、裏側に操作部と押さえ部とよりなる略Ｌ字状のレバーを回動自在に軸支し、この押さえ部と飾り板の裏面との間で襟を挟持することで、襟を装飾体により装飾する。
【特許文献１】特開平７−２７８９０２号公報（第１頁、図１）
【特許文献２】実開平６−３９９２１号公報（第１頁、図１）
【特許文献３】実開昭６２−９８５１８号公報（第１頁、図１）
【０００３】
【発明が解決しようとする課題】
しかしながら、これらの従来の装身具用の装飾体襟保持具にあっては、以下に示す問題点があった。
すなわち、（１）　〜（３）　の従来手段は、何れも襟の前面側の両開襟部に、装飾体が固着された所定の係止部材を、装飾体を露出させた状態で係止する構造を採用したので、襟に装着することが可能な装飾体の大きさ、重さには限界があった。例えば、数十グラム程度の装飾体を開襟部に装着しただけで、襟が垂れて着崩れを起こしたり、薄い生地の場合には開襟部が破けたりするおそれがあった。
また、（１）　〜（３）　の従来手段によれば、装飾体は所定の係止部材に固着されていた。そのため、既製の装飾体ではない装飾体、例えばオリジナルな装飾体により襟を装飾することはできなかった。
【０００４】
そこで、発明者は、鋭意研究の結果、襟の首回り部に掛止され、装飾体が着脱自在に取り付けられる襟枠を備え、この襟枠がばね力により首を挟持するように襟に掛止されるか、襟枠の両端部を連結部材により着脱自在に連結して襟の首回り部に巻き付けるようにすれば、大きさや重さに規制されない好みの装飾体を任意に襟に装着することができることを知見し、この発明を完成させた。
【０００５】
【発明の目的】
この発明は、大きさや重さに規制されない装飾体を襟に装着することができ、しかも好みに応じて別の装飾体に交換することができる装身具用の装飾体襟保持具を提供することを、その目的としている。
また、この発明は、襟の周辺から離れた位置に装飾体を安定して配置することができる装身具用の装飾体襟保持具を提供することを、その目的としている。
この発明は、分岐枠を正確な屈曲位置で簡単に屈曲することができ、しかも重い装飾体であっても、取り扱い中、装飾体の自重で分岐枠が凹み部分を中心にして屈曲しにくい装身具用の装飾体襟保持具を提供することを、その目的としている。
この発明は、重い装飾体を襟枠の襟くびとの対峙部分に掛止しても、襟枠が装飾体の自重で襟からずれ落ちにくい装身具用の装飾体襟保持具を提供することを、その目的としている。
【０００６】
【課題を解決するための手段】
請求項１に記載の発明は、襟の首回り部に掛止され、装飾体が着脱自在に取り付けられる襟枠を備えた装身具用の装飾体襟保持具であって、前記襟枠は、ばね力により首を挟持するように襟に掛止され、前記襟枠には、前記襟の周辺から離れた位置に装飾体を配置する線状の分岐枠が外方に向かって突設された装身具用の装飾体襟保持具である。
襟の種類は限定されない。例えば、スタンドカラー，テーラーカラー，シャツカラー，ステンカラー，ショールカラー，オープンカラー，セーラーカラー，フラットカラー，詰め襟，タートルネックなどを採用することができる。
襟の首回り部とは、襟くび（首の後ろの部分）を含む首回りの部分をいう。例えば、テーラーカラーやショールカラーの前部のように、大きく開いた胸元に配置される部分は除く。
装飾体の素材、形状、大きさなどは限定されない。例えば、生花，造花，ベル，旗，ちょうちん，のれん，びん，缶，時計，美術品，工芸品などを採用することができる。
【０００７】
装飾体は、襟枠を介して、襟に直接取り付けてもよい。または、襟枠から分岐された分岐枠により間接的に取り付けてもよい。
また、装飾体は、使用者の前方に向けてもよいし、上方に向けてもよい。さらには、使用者の後方または下方に向けてもよい。
装飾体の襟枠に対する掛止構造は限定されない。
襟枠は、襟の内側に取り付けてもよい。または、襟の外側に取り付けてもよい。
襟枠にばね力を付与する方法としては、例えば襟枠自体をばね材で設ける方法、襟枠にばね材を取り付ける方法などを採用することができる。ばね材としては、例えばコイルばね，線状のばねなどの一般的なばね材が挙げられる。その他、ゴムや弾性を有する各種の軟質合成樹脂などでもよい。要は、そのばね力により、首を挟持するように襟に掛止できればよい。
分岐枠は、襟枠と一体的に形成してもよい。または別体で形成してもよい。分岐枠の素材は限定されない。襟枠と同じ素材でも別の素材でもよい。分岐枠の長さ、太さなどは限定されない。
【０００８】
請求項２に記載の発明は、前記装飾体を、身体の片方の脇の回りおよびまたは衣服の片方の脇の回り部に補助的に掛止する掛止補助部材が、前記分岐枠に連結された状態で取り付けられた請求項１に記載の装身具用の装飾体襟保持具である。
掛止補助部材は、装飾体と一体的に形成してもよい。または別体でもよい。
掛止補助部材は身体の脇の周りに掛止してもよい。または衣服の脇の周り部に掛止してもよい。さらには、脇の周りと衣服の脇の回り部とにそれぞれ掛止してもよい。
掛止補助部材の素材、形状、大きさなどは限定されない。
【０００９】
請求項３に記載の発明は、前記襟枠の一端部には、該襟枠に沿って折り返された延長部が形成され、この延長部の先端に凹み部分を介して前記分岐枠が外方に向かって屈曲自在に形成され、前記襟枠の折り返し部分には、該襟枠と分岐枠とに一括して挿着可能な環止めが取り付けられた請求項１または請求項２に記載の装身具用の装飾体襟保持具である。
【００１０】
請求項４に記載の発明は、襟の首回り部に掛止され、装飾体が着脱自在に取り付けられる襟枠を備えた装身具用の装飾体襟保持具であって、前記襟枠は弾性または可撓性を有し、その両端部を連結部材により着脱自在に連結することで、前記首回り部に巻き付け状態で掛止され、前記襟枠には、前記襟の周辺から離れた位置に装飾体を配置する線状の分岐枠が外方に向かって突設された装身具用の装飾体襟保持具である。
ここでいう襟枠としては、例えばばね力により首を挟持するように襟に掛止される弾性部材からなるものを採用することができる。その他、可撓性を有する部材からなるものでもよい。
連結部材の素材、形状、大きさなどは限定されない。例えば、各種の合成樹脂製の連結ボール，任意形状を有する合成樹脂製の連結ブロックなどを採用することができる。
【００１１】
請求項５に記載の発明は、前記装飾体を、身体の片方の脇の回りおよびまたは衣服の片方の脇の回り部に補助的に掛止する掛止補助部材が、前記分岐枠に連結された状態で取り付けられた請求項４に記載の装身具用の装飾体襟保持具である。
【００１２】
請求項６に記載の発明は、襟の首回り部に掛止され、装飾体が着脱自在に取り付けられる襟枠を備えた装身具用の装飾体襟保持具であって、前記襟枠は、ばね力により首を挟持するように襟に掛止されるとともに、該襟の略全長の長さを有するピアノ線で、前記装飾体は、胸元から背中の肩部まで達する長さを有した装飾布であるとともに、その前縁の中間部から後端部付近の領域にかけて切欠部が形成され、該切欠部の内周縁には、全長にわたって襟枠が内挿される多数個の小リングが所定ピッチで配設された装身具用の装飾体襟保持具である。
【００１３】
請求項７に記載の発明は、襟の首回り部に掛止され、装飾体が着脱自在に取り付けられる襟枠を備えた装身具用の装飾体襟保持具であって、前記襟枠は、ばね力により首を挟持するように襟に掛止されるとともに、該襟の裏側全体に掛止される長さを有し、この襟枠の両端部には、該襟枠の両端部付近との間で襟の両端を内外方向から挟持する１対の屈曲部が、それぞれ外方に屈曲した状態で形成された装身具用の装飾体襟保持具である。
【００１４】
【作用】
請求項１、請求項４、請求項６および請求項７の発明によれば、弾性を有する襟枠が自己のばね力によって首を挟持するように襟の首周り部に掛止されるか、弾性または可撓性を有する襟枠を首回り部に巻き付けた後、襟枠の両端部を連結部材によって着脱自在に連結する。これにより、大きさや重さに規制されない好みの装飾体を、襟の首周り部に装着することができる。
【００１５】
特に、請求項２および請求項５の発明によれば、襟枠とは別に、掛止補助部材によって装飾体を片方の脇の回りおよびまたは衣服の片方の脇の回り部に補助的に掛止する。これにより、例えば大きくて重い装飾体でも、安定して襟に装着することができる。
【００１６】
また、請求項３の発明によれば、襟枠の一端部に、この襟枠に沿って折り返された延長部が形成され、延長部の先端に凹み部分を介して分岐枠が外方に向かって屈曲自在に形成され、襟枠の折り返し部分には、襟枠と分岐枠とに一括して挿着可能な環止めを取り付ける。これにより、分岐枠を正確な屈曲位置で簡単に屈曲することができ、しかも重い装飾体であっても、取り扱い中、装飾体の自重で分岐枠が凹み部分を中心にして屈曲しにくい。
【００１７】
さらに、請求項７の発明によれば、襟枠は、ばね力により首を挟持するように襟に掛止されるとともに、該襟の裏側全体に掛止される長さを有し、この襟枠の両端部には、該襟枠の両端部付近との間で襟の両端を内外方向から挟持する１対の屈曲部が、それぞれ外方に屈曲した状態で形成されている。これにより、重い装飾体を襟枠の襟くびとの対峙部分に掛止しても、襟枠が装飾体の自重で襟からずれ落ちにくい。
【００１８】
【発明の実施の形態】
以下、図面を参照し、この発明の実施例を説明する。まず、図１〜図３を参照して第１の実施例を説明する。
図１〜図３において１０は、この発明の第１の実施例の装身具用の装飾体襟保持具（以下、装飾体襟保持具）で、この装飾体襟保持具１０は、上着１１の首回り部を含む襟１１ａに掛止され、装飾体１２が着脱自在に取り付けられる襟枠１３を備えている。
上着１１は婦人用で、襟１１ａの種類はショールカラーである。装飾体１２は、展開視して矩形状の装飾布で、その長辺は使用者の胸元から背中の肩部まで達する長さを有している。装飾体１２には、その前縁の中間部から後端部付近の領域にかけて、展開視して涙粒形状を有する切欠部が形成されている。切欠部の内周縁には、全長にわたって所定ピッチで多数個の小リング１４…が配設されている。各小リング１４…には、涙粒形状に湾曲された１本の細いピアノ線からなる襟枠１３が内挿されている。この襟枠１３は、襟１１ａの略全長の長さを有している。
【００１９】
第１の実施例の装飾体襟保持具１０の使用時には、まずばね力に抗して襟枠１３の両端部を外方に開く。次に、開口された襟枠１３を使用者の背中側から襟１１ａの裏側の全長にわたって差し込む。これにより、襟枠１３が自己のばね力によって、使用者の首回り部を挟持するように襟１１ａの裏側に掛止される。こうして、布製の装飾体１２により、使用者の胸元から背中の肩部までが飾られる。ここでいう襟１１ａの裏側とは、上着１１の裏地側ではなく、前身ごろと対峙する裏襟の側を意味する。したがって、使用中、襟枠１３は使用者の首に接しない。
別の装飾体に交換する際には小リング１４…から襟枠１３を抜き取り、別の装飾体の小リングに襟枠１３を挿着すればよい。
このように、襟枠１３が自己のばね力により首を挟持するように襟１１ａの首周り部に掛止されるので、大きさや重さに規制されない好みの装飾体１２を、襟１１ａの首周り部に装着することができる。しかも、装飾体１２を襟１１ａに装着する際、従来のようにピンを襟に刺したり、ばね力が大きいピンチなどで襟を挟んだりしない。そのため、襟１１ａを傷めにくい。また、襟枠１３が襟１１ａの略全長の長さを有しているため、大判の布製の装飾体１２でもその自重により肩から滑り落ちにくい。
【００２０】
次に、図４を参照し、この発明の第２の実施例を説明する。
第２の実施例の装飾体襟保持具５０の特徴は、ショールカラーの襟１１ａの裏側全体に襟枠１３Ｄが掛止され、襟枠１３Ｄの長さ方向の中間部、言い換えれば襟くびとの対峙部分に、ミニチュア化されたランドセルである装飾体１２Ｄを、フック５１を介して掛止した点である。
ランドセルはミニチュアでも造花などより重い。その対策として、襟枠１３Ｄの両端を外方に屈曲し、１対の屈曲部１３ｂ，１３ｂをそれぞれ形成する。使用時には、両屈曲部１３ｂ，１３ｂと襟枠１３Ｄの両端部付近との間で、襟１１ａの両端を内外方向から挟持する。これにより、装飾体１２Ｄの自重で装飾体１２Ｄが襟枠１３Ｄとともに、ずれ落ちるのを防ぐことができる。
その他の構造、作用、効果は第１の実施例より推測可能な範囲であるので、説明を省略する。
【００２１】
図５および図６には、この発明の第３の実施例を示す。
第３の実施例の装飾体襟保持具６０では、テーラーカラーの襟１１ｂの裏側全体に襟枠１３Ｅが掛止され、襟枠１３Ｅの一端部が延長され、その延長部１３ｃが略襟枠１３Ｅの全長にわたって折り返されている。延長部１３ｃは、襟枠１３Ｅの他端付近まで達したところで、脇下に向かって略９０度の角度で屈曲される。この屈曲部が、襟１１ｂの周辺から離れた位置に装飾体１２Ｅを配置する分岐枠１３ｄとなる。装飾体１２Ｅは大型の時計である。装飾体１２Ｅは、裏面に突設されたフック１２ａを介して、分岐枠１３ｄの中間部に掛止される。分岐枠１３ｄの先端には小さなフック部が形成されている。フック部には、肩に通されたリング形状を有する掛止補助部材１３ｅの下端部が掛止されている。掛止補助部材１３ｅは、重い装飾体１２Ｅを補助的に肩に掛止する。
図７には、時計の装飾体１２Ｅに代えて一輪挿しの装飾体１２Ｆを分岐枠１３ｄに掛止した例を示す。
【００２２】
このように、襟枠１３Ｅに突設された分岐枠１３ｄに装飾体１２Ｅを取り付けるので、襟１１ｂの周辺から離れた位置に装飾体１２Ｅを配置することができる。また、襟枠１３Ｅとは別に、掛止補助部材１３ｅによって装飾体１２Ｅを肩に補助的に掛止するので、大型で重い時計でも安定して襟１１ｂに装着することができる。
その他の構造、作用、効果は第１の実施例より推測可能な範囲であるので、説明を省略する。
【００２３】
図８および図９には、この発明の第４の実施例を示す。
第４の実施例の装飾体襟保持具７０では、ショールカラーの襟１１ａの裏側全体に襟枠１３Ｇが掛止され、襟枠１３Ｇの一端部が延長され、その延長部１３ｃが襟枠１３Ｇに沿って折り返されている。延長部１３ｃは、襟枠１３Ｇの他端付近まで達したところで、胸のポケット１１ｄに向かって略９０度の角度で屈曲される。この屈曲部が分岐枠１３ｄとなる。装飾体１２Ｇはミニチュア化されたバスケットボールのゴール板である。装飾体１２Ｇは、ポケット１１ｄに入れて保持される。ポケット１１ｄを利用するので、装飾体１２Ｇの安定性が高まる。
分岐枠１３ｄの元部には凹み１３ｆが形成され、正確な屈曲位置で簡単に屈曲できるようになっている。襟枠１３Ｇの折り返し部分には、襟枠１３Ｇと分岐枠１３ｄとに一括して挿着される環止め７１が取り付けられている。装飾体襟保持具７０を外す際には、装飾体１２Ｇをポケット１１ｄから抜き取るとともに、分岐枠１３ｄから外す。次いで、屈曲した分岐枠１３ｄを伸ばし、環止め７１を分岐枠１３ｄの位置まで摺動させる。これにより、重いゴール板の装飾体１２Ｇであっても、取り扱い中、自重で分岐枠１３ｄが凹み１３ｆを中心にして屈曲しにくい。
その他の構造、作用、効果は第１の実施例より推測可能な範囲であるので、説明を省略する。
【００２４】
図１０および図１１には、この発明の第５の実施例を示す。
第５の実施例の装飾体襟保持具８０では、襟１１ｂの裏側全体に襟枠１３Ｈが掛止され、襟枠１３Ｈの襟くびとの対峙部分に、両肩に向かって延びる分岐枠１３ｄ，１３ｄをそれぞれ連結されている。分岐枠１３ｄ，１３ｄの各先端には、対応する肩の頂上部を挟持する小さなフック部１３ｇ，１３ｇがそれぞれ形成されている。分岐枠１３ｄ，１３ｄの両端部には、ミニチュア化された旗である１対の装飾体１２Ｈ，１２Ｈが立設されている。また、分岐枠１３ｄ，１３ｄの両端部には、肩に通されたリング形状を有する掛止補助部材１３ｅ，１３ｅの上端部が掛止されている。掛止補助部材１３ｅ，１３ｅは、分岐枠１３ｄ，１３ｄの振れを防ぐとともに、重い装飾体１２Ｈを補助的に肩に掛止する。フック部１３ｇ，１３ｇおよび掛止補助部材１３ｅ，１３ｅにより、１対のミニチュア化された旗製の装飾体１２Ｈ，１２Ｈを、両肩の上にしっかりと固定することができる。また、フック部１３ｇ，１３ｇにゴム製などのずれ止めを取り付ければ、装飾体１２Ｈ，１２Ｈがよりずれにくい。
その他の構造、作用、効果は第１の実施例より推測可能な範囲であるので、説明を省略する。
【００２５】
図１２には、この発明の第６の実施例を示す。
第６の実施例の装飾体襟保持具９０では、外周面にずれ止め用の植毛部１３ｈが固着された襟枠１３Ｉを有し、襟枠１３Ｉの襟くびとの対峙部分に、一方の肩に向かって延びる分岐枠１３ｄが連結されている。分岐枠１３ｄの先端部には、肩上に配置される立体アートである装飾体１２Ｉが一体形成されている。また、分岐枠１３ｄの先端には小さなフック部１３ｉが形成されている。このフック部１３ｉには、リング形状の掛止補助部材１３ｅの上端部が掛止されている。
襟枠１３Ｉの外周面に植毛部１３ｈを固着したので、大きな装飾体１２Ｉであっても、装飾体１２Ｉの重さで襟枠１３Ｉが襟１１ｂから抜けにくい。
その他の構造、作用、効果は第１の実施例より推測可能な範囲であるので、説明を省略する。
【００２６】
図１３および図１４には、この発明の第７の実施例を示す。
第７の実施例の装飾体襟保持具１００では、タートルネックの襟１１ｃに、螺旋状に巻き付けられる襟枠１３Ｊを有し、襟枠１３Ｊの上端部を延長して分岐枠１３ｄを一体形成している。分岐枠１３ｄの先端部には、小鳥の模型である装飾１２Ｊが固定されている。分岐枠１３ｄの先端には小さなフック部が形成されている。このフック部には、大径なリング形状の掛止補助部材１３ｅの上端部が掛止されている。襟枠１３Ｊの元部には、ゴム製の滑り止めが固着されている。
使用時には、襟枠１３Ｊを広げて頭から被り、これをタートルネックの襟１１ｃに外方から巻き付ける。その後、フック部に掛止補助部材１３ｅを掛止し、装飾体１２Ｊを肩の上方に固定する。
その他の構造、作用、効果は第１の実施例より推測可能な範囲であるので、説明を省略する。
【００２７】
図１５〜図１７には、この発明の第８の実施例を示す。
第８の実施例の装飾体襟保持具１１０では、襟１１ａの裏側全体に襟枠１３Ｋが掛止され、襟枠１３Ｋの一端部を襟くびとの対峙部分まで延長し、その先になだらかなに湾曲した分岐枠１３ｄが一体形成されている。分岐枠１３ｄの先端部には、小型の提灯である装飾体１２Ｋが固定されている。装飾体１２Ｋの下端部には図示しない小さなフック部が形成されている。フック部には、肩に通された掛止補助部材１３ｅの上端部が掛止されている。
襟枠１３Ｋの両端部には、外方に屈曲した１対の屈曲部１３ｊ，１３ｊがそれぞれ形成されている。使用時には、両屈曲部１３ｊ，１３ｊと襟枠１３Ｋの両端部付近との間で、襟１１ａの両端を内外方向から挟持することで、装飾体１２Ｋの自重による襟枠１３Ｋのずれを防止することができる。
その他の構造、作用、効果は第１の実施例より推測可能な範囲であるので、説明を省略する。
【００２８】
図１８〜図２０には、この発明の第９の実施例を示す。
第９の実施例の装飾体襟保持具１２０では、タートルネックの襟１１ｃに前方向から掛止されるリング形状の襟枠１３Ｌを有し、襟枠１３Ｌの両端部を延長して両側の耳の裏まで達する分岐枠１３ｄ，１３ｄが一体形成されている。両分岐枠１３ｄ，１３ｄの先端部には、耳たぶの付け根の裏に存在する凹みに当てがわれる小玉１２１，１２１がそれぞれ固着されている。両小玉１２１，１２１は、ゴム製のずれ止め１２１ａ，１２１ａによって被われている。また、両小玉１２１，１２１には、なだらかに円弧を描く１対の装飾紐である装飾体１２Ｌ，１２Ｌがそれぞれ垂れ下がっている。小玉１２１，１２１に加えて、耳たぶに掛止される小型のクリップ１２２，１２２を使用すれば、装飾体１２Ｌ，１２Ｌの耳たぶからの位置ずれを確実に防ぐことができる。
その他の構造、作用、効果は第１の実施例より推測可能な範囲であるので、説明を省略する。
【００２９】
図２１および図２２には、この発明の第１０の実施例を示す。
第１０の実施例の装飾体襟保持具１３０では、タートルネックの襟１１ｃに螺旋状の襟枠１３Ｍを巻き付け、襟枠１３Ｍの上端部を延長して一方の耳まで達する分岐枠１３ｄが一体形成されている。分岐枠１３ｄの先端部には、短尺な連結キャップ１３１を介して、片耳に被せられた装飾体１２Ｍの線状の連結部が連結されている。装飾体１２Ｍは、ピアノ線を椀型のような立体的な渦巻き形状に湾曲させたベース体１３２と、このベース体１３２を外方から被う伸縮自在なネット１３３とを有している。連結キャップ１３１は、ベース体１３２の外側の端部に固着されている。
使用時には、襟枠１３Ｍを襟１１ｃに巻き付け、片方の耳に装飾体１２Ｍを被せる。そして、連結キャップ１３１を介して、ベース体１３２と分岐枠１３ｄとを連結する。
このように、分岐枠１３ｄを介して、耳を被う大きな装飾体１２Ｍであってもしっかりと耳に固定することができる。
その他の構造、作用、効果は第１の実施例より推測可能な範囲であるので、説明を省略する。
【００３０】
【発明の効果】
請求項１、請求項４、請求項６および請求項７の発明によれば、弾性を有する襟枠が自己のばね力によって首を挟持するように襟の首周り部に掛止されるか、弾性または可撓性を有する襟枠を首回り部に巻き付けた後、襟枠の両端部を連結部材によって着脱自在に連結するので、大きさや重さに規制されない好みの装飾体を、襟の首周り部に装着することができる。
また、襟枠に突設された分岐枠に装飾体を取り付けるので、襟の周辺から離れた位置に装飾体を配置することができる。
【００３１】
特に、請求項２および請求項５の発明によれば、襟枠とは別に、掛止補助部材によって装飾体を片方の脇の回りおよびまたは衣服の片方の脇の回り部に補助的に掛止する。これにより、例えば大きくて重い装飾体でも、安定して襟に装着することができる。
【００３２】
また、請求項３の発明によれば、襟枠の一端部に、この襟枠に沿って折り返された延長部が形成され、延長部の先端に凹み部分を介して分岐枠が外方に向かって屈曲自在に形成され、襟枠の折り返し部分には、襟枠と分岐枠とに一括して挿着可能な環止めを取り付けるようにしたので、分岐枠を正確な屈曲位置で簡単に屈曲することができ、しかも重い装飾体であっても、取り扱い中、装飾体の自重で分岐枠が凹み部分を中心にして屈曲しにくい。
【００３３】
さらに、請求項７の発明によれば、襟枠は、ばね力により首を挟持するように襟に掛止されるとともに、該襟の裏側全体に掛止される長さを有し、この襟枠の両端部には、該襟枠の両端部付近との間で襟の両端を内外方向から挟持する１対の屈曲部が、それぞれ外方に屈曲した状態で形成されているようにしたので、重い装飾体を襟枠の襟くびとの対峙部分に掛止しても、襟枠が装飾体の自重で襟からずれ落ちにくい。
【図面の簡単な説明】
【図１】この発明の第１の実施例に係る装身具用の装飾体襟保持具の使用状態を示す正面図である。
【図２】（ａ）は、この発明の第１の実施例に係る装身具用の装飾体襟保持具の展開図である。
（ｂ）は、図２（ａ）の要部拡大図である。
【図３】この発明の第１の実施例に係る装身具用の装飾体襟保持具の使用状態を示す背面図である。
【図４】（ａ）は、この発明の第２の実施例に係る装身具用の装飾体襟保持具の使用状態を示す側面図である。
（ｂ）は、装飾体の側面図である。
（ｃ）は、図４（ａ）の一部断面図を含む要部拡大図である。
【図５】（ａ）は、この発明の第３の実施例に係る装身具用の装飾体襟保持具の使用状態を示す正面図である。
（ｂ）は、装飾体の側面図である。
【図６】この発明の第３の実施例に係る装身具用の装飾体襟保持具を示す正面図である。
【図７】（ａ）は、この発明の第３の実施例に係る別の装飾体が取り付けられた装身具用の装飾体襟保持具を示す正面図である。
（ｂ）は、別の装飾体の側面図である。
【図８】この発明の第４の実施例に係る装身具用の装飾体襟保持具の使用状態を示す正面図である。
【図９】（ａ）は、この発明の第４の実施例に係る装身具用の装飾体襟保持具の使用状態を示す一部断面図を含む要部拡大正面図である。
（ｂ）は、この発明の第４の実施例に係る装身具用の装飾体襟保持具の使用方法を説明する要部拡大断面図である。
（ｃ）は、この発明の第４の実施例に係る装身具用の装飾体襟保持具の使用状態を示す要部拡大断面図である。
【図１０】（ａ）は、この発明の第５の実施例に係る装身具用の装飾体襟保持具の使用状態を示す正面図である。
（ｂ）は、図１０（ａ）の要部拡大図である。
【図１１】この発明の第５の実施例に係る装身具用の装飾体襟保持具の正面図である。
【図１２】（ａ）は、この発明の第６の実施例に係る装身具用の装飾体襟保持具の使用状態を示す正面図である。
（ｂ）は、図１２（ａ）の要部を側面視した図である。
（ｃ）は、図１２（ａ）の他の要部の拡大図である。
【図１３】この発明の第７の実施例に係る装身具用の装飾体襟保持具の使用状態を示す正面図である。
【図１４】この発明の第７の実施例に係る装身具用の装飾体襟保持具の使用状態を示す背面図である。
【図１５】この発明の第８の実施例に係る装身具用の装飾体襟保持具の使用状態を示す正面図である。
【図１６】この発明の第８の実施例に係る装身具用の装飾体襟保持具の平面図である。
【図１７】この発明の第８の実施例に係る装身具用の装飾体襟保持具の使用状態を示す背面図である。
【図１８】この発明の第９の実施例に係る装身具用の装飾体襟保持具の使用状態を示す側面図である。
【図１９】（ａ）は、この発明の第９の実施例に係る装身具用の装飾体襟保持具の斜視図である。
（ｂ）は、図１８の一部断面図を含む要部拡大図である。
【図２０】（ａ）は、この発明の第９の実施例に係る装身具用の装飾体襟保持具の使用状態における要部拡大正面図である。
（ｂ）は、この発明の第９の実施例に係る装身具用の装飾体襟保持具の使用状態における要部拡大断面図である。
【図２１】（ａ）は、この発明の第１０の実施例に係る装身具用の装飾体襟保持具の使用状態を示す側面図である。
（ｂ）は、この発明の第１０の実施例に係る装身具用の装飾体襟保持具の一部破断図を含む要部拡大正面図である。
（ｃ）は、図２１（ｂ）の要部拡大断面図である。
【図２２】（ａ）は、この発明の第１０の実施例に係る装身具用の装飾体襟保持具の使用状態を示す一部断面図を含む背面図である。
（ｂ）は、図２２（ａ）の要部拡大図である。
【符号の説明】
１０，５０，６０，７０，８０　装身具用の装飾体襟保持具、
９０，１００，１１０，１２０，１３０　装身具用の装飾体襟保持具、
１１ａ〜１１ｄ　襟、
１２，１２Ａ〜１２Ｒ　装飾体、
１３，１３Ａ〜１３Ｒ　襟枠、
１３１　緩衝部材、
１３ｄ　分岐枠、
１３ｅ　掛止補助部材、
１５１　連結リング（連結部材）。


【手続補正２】
【補正対象書類名】図面
【補正対象項目名】全図
【補正方法】変更
【補正の内容】
【図１】
2004113623.tif 000034
【図２】
2004113623.tif 000035
【図３】
2004113623.tif 000036
【図４】
2004113623.tif 000037
【図５】
2004113623.tif 000038
【図６】
2004113623.tif 000039
【図７】
2004113623.tif 000040
【図８】
2004113623.tif 000041
【図９】
2004113623.tif 000042
【図１０】
2004113623.tif 000043
【図１１】
2004113623.tif 000044
【図１２】
2004113623.tif 000045
【図１３】
2004113623.tif 000046
【図１４】
2004113623.tif 000047
【図１５】
2004113623.tif 000048
【図１６】
2004113623.tif 000049
【図１７】
2004113623.tif 000050
【図１８】
2004113623.tif 000051
【図１９】
2004113623.tif 000052
【図２０】
2004113623.tif 000053
【図２１】
2004113623.tif 000054
【図２２】
2004113623.tif 000055
【手続補正書】
【提出日】平成15年6月2日(2003.6.2)
【手続補正１】
【補正対象書類名】明細書
【補正対象項目名】全文
【補正方法】変更
【補正の内容】
【特許請求の範囲】
【請求項１】襟の首回り部に掛止され、装飾体が着脱自在に取り付けられる襟枠を備えた装身具用の装飾体襟保持具であって、
前記襟枠は、線状のばね材からなり、そのばね力により首を挟持するように襟に掛止され、
この襟枠には、その一端部が延長され、前記襟の周辺から離れた位置に装飾体を配置する分岐枠が突設された装身具用の装飾体襟保持具。
【請求項２】前記装飾体を補助的に掛止するための、肩に通されたリング形状の掛止補助部材が、前記分岐枠に掛止された請求項１に記載の装身具用の装飾体襟保持具。
【請求項３】前記襟枠の一端部には、該襟枠に沿って折り返された延長部が形成され、この延長部の先端に凹み部分を介して上記分岐枠が屈曲自在に形成され、前記襟枠の折り返し部分には、該襟枠と分岐枠とに一括して挿着可能な環止めが取り付けられた請求項１または請求項２に記載の装身具用の装飾体襟保持具。
【請求項４】上記分岐枠の先端には肩の頂上部を挟持するフック部が形成された請求項１に記載の装身具用の装飾体襟保持具。
【請求項５】襟の首回り部に掛止され、装飾体が着脱自在に取り付けられる襟枠を備えた装身具用の装飾体襟保持具であって、
前記襟枠は、そのばね力により首を挟持するように襟に掛止されるとともに、該襟の略全長の長さを有するピアノ線で、
前記装飾体は、胸元から背中の肩部まで達する長さを有した装飾布であるとともに、その前縁の中間部から後端部付近の領域にかけて涙粒形状の切欠部が形成され、
該切欠部の内周縁には、全長にわたって襟枠が内挿される多数個の小リングが所定ピッチで配設された装身具用の装飾体襟保持具。
【請求項６】襟の首回り部に掛止され、装飾体が着脱自在に取り付けられる襟枠を備えた装身具用の装飾体襟保持具であって、
前記襟枠は、線状のばね材からなりそのばね力により首を挟持するように襟に掛止されるとともに、該襟の裏側全体に掛止される長さを有し、
この襟枠の両端部には、該襟枠の両端部付近との間で襟の両端を内外方向から挟持する１対の屈曲部が、それぞれ外方に屈曲した状態で形成された装身具用の装飾体襟保持具。
【発明の詳細な説明】
【０００１】
【発明の属する技術分野】
この発明は装身具用の装飾体襟保持具、詳しくは衣服の襟に装飾体を装着する装身具用の装飾体襟保持具に関する。
【０００２】
【従来の技術】
上着の襟を飾る装身具用の装飾体襟保持具として、例えば（１）特許文献１のものと、（２）特許文献２のものと、（３）特許文献３のものとが知られている。
（１）　の従来手段は、表面に宝石などの装飾体が固着された１対の支持部と、各支持部の裏面に配設された１対の挟持具とが一体化された本体を有し、ワイシャツなどのカラー（襟）の前面側に配された１対の開襟部を、対応する支持部と挟持具とによってそれぞれ挟持し、襟を装飾体により装飾する。
（２）　の従来手段は、表面に装飾体が固着された１対の係止具を鎖により連結し、各係止具により両開襟部を係止することで、襟を装飾体により装飾する。
（３）　の従来手段は、襟の先端部を包む金具本体の表側に飾り板を固着し、裏側に操作部と押さえ部とよりなる略Ｌ字状のレバーを回動自在に軸支し、この押さえ部と飾り板の裏面との間で襟を挟持することで、襟を装飾体により装飾する。
【特許文献１】特開平７−２７８９０２号公報（第１頁、図１）
【特許文献２】実開平６−３９９２１号公報（第１頁、図１）
【特許文献３】実開昭６２−９８５１８号公報（第１頁、図１）
【０００３】
【発明が解決しようとする課題】
しかしながら、これらの従来の装身具用の装飾体襟保持具にあっては、以下に示す問題点があった。
すなわち、（１）　〜（３）　の従来手段は、何れも襟の前面側の両開襟部に、装飾体が固着された所定の係止部材を、装飾体を露出させた状態で係止する構造を採用したので、襟に装着することが可能な装飾体の大きさ、重さには限界があった。例えば、数十グラム程度の装飾体を開襟部に装着しただけで、襟が垂れて着崩れを起こしたり、薄い生地の場合には開襟部が破けたりするおそれがあった。
また、（１）　〜（３）　の従来手段によれば、装飾体は所定の係止部材に固着されていた。そのため、既製の装飾体ではない装飾体、例えばオリジナルな装飾体により襟を装飾することはできなかった。
【０００４】
そこで、発明者は、鋭意研究の結果、襟の首回り部に掛止され、装飾体が着脱自在に取り付けられる襟枠を備え、この襟枠がばね力により首を挟持するように襟に掛止されるか、襟枠の両端部を連結部材により着脱自在に連結して襟の首回り部に巻き付けるようにすれば、大きさや重さに規制されない好みの装飾体を任意に襟に装着することができることを知見し、この発明を完成させた。
【０００５】
【発明の目的】
この発明は、大きさや重さに規制されない装飾体を襟に装着することができ、しかも好みに応じて別の装飾体に交換することができる装身具用の装飾体襟保持具を提供することを、その目的としている。
また、この発明は、襟の周辺から離れた位置に装飾体を安定して配置することができる装身具用の装飾体襟保持具を提供することを、その目的としている。
この発明は、分岐枠を正確な屈曲位置で簡単に屈曲することができ、しかも重い装飾体であっても、取り扱い中、装飾体の自重で分岐枠が凹み部分を中心にして屈曲しにくい装身具用の装飾体襟保持具を提供することを、その目的としている。
この発明は、重い装飾体を襟枠の襟くびとの対峙部分に掛止しても、襟枠が装飾体の自重で襟からずれ落ちにくい装身具用の装飾体襟保持具を提供することを、その目的としている。
【０００６】
【課題を解決するための手段】
請求項１に記載の発明は、襟の首回り部に掛止され、装飾体が着脱自在に取り付けられる襟枠を備えた装身具用の装飾体襟保持具であって、前記襟枠は、線状のばね材からなり、そのばね力により首を挟持するように襟に掛止され、この襟枠には、その一端部が延長され、前記襟の周辺から離れた位置に装飾体を配置する分岐枠が突設された装身具用の装飾体襟保持具。装身具用の装飾体襟保持具である。
襟の種類は限定されない。例えば、スタンドカラー，テーラーカラー，シャツカラー，ステンカラー，ショールカラー，オープンカラー，セーラーカラー，フラットカラー，詰め襟，タートルネックなどを採用することができる。
襟の首回り部とは、襟くび（首の後ろの部分）を含む首回りの部分をいう。例えば、テーラーカラーやショールカラーの前部のように、大きく開いた胸元に配置される部分は除く。
装飾体の素材、形状、大きさなどは限定されない。例えば、生花，造花，ベル，旗，ちょうちん，のれん，びん，缶，時計，美術品，工芸品などを採用することができる。
【０００７】
装飾体は、襟枠を介して、襟に直接取り付けてもよい。または、襟枠から分岐された分岐枠により間接的に取り付けてもよい。
また、装飾体は、使用者の前方に向けてもよいし、上方に向けてもよい。さらには、使用者の後方または下方に向けてもよい。
装飾体の襟枠に対する掛止構造は限定されない。
襟枠は、襟の内側に取り付けてもよい。または、襟の外側に取り付けてもよい。
襟枠にばね力を付与する方法としては、例えば襟枠自体をばね材で設ける方法、襟枠にばね材を取り付ける方法などを採用することができる。ばね材としては、例えばコイルばね，線状のばねなどの一般的なばね材が挙げられる。その他、ゴムや弾性を有する各種の軟質合成樹脂などでもよい。要は、そのばね力により、首を挟持するように襟に掛止できればよい。
分岐枠は、襟枠と一体的に形成してもよい。または別体で形成してもよい。分岐枠の素材は限定されない。襟枠と同じ素材でも別の素材でもよい。分岐枠の長さ、太さなどは限定されない。
【０００８】
請求項２に記載の発明は、前記装飾体を補助的に掛止するための、肩に通されたリング形状の掛止補助部材が、前記分岐枠に掛止された請求項１に記載の装身具用の装飾体襟保持具である。
掛止補助部材は、装飾体と一体的に形成してもよい。または別体でもよい。
掛止補助部材は身体の脇の周りに掛止してもよい。または衣服の脇の周り部に掛止してもよい。さらには、脇の周りと衣服の脇の回り部とにそれぞれ掛止してもよい。
掛止補助部材の素材、形状、大きさなどは限定されない。
【０００９】
請求項３に記載の発明は、前記襟枠の一端部には、該襟枠に沿って折り返された延長部が形成され、この延長部の先端に凹み部分を介して上記分岐枠が屈曲自在に形成され、前記襟枠の折り返し部分には、該襟枠と分岐枠とに一括して挿着可能な環止めが取り付けられた請求項１または請求項２に記載の装身具用の装飾体襟保持具である。
【００１０】
請求項４に記載の発明は、上記分岐枠の先端には肩の頂上部を挟持するフック部が形成された請求項１に記載の装身具用の装飾体襟保持具である。
ここでいう襟枠としては、例えばばね力により首を挟持するように襟に掛止される弾性部材からなるものを採用することができる。その他、可撓性を有する部材からなるものでもよい。
連結部材の素材、形状、大きさなどは限定されない。例えば、各種の合成樹脂製の連結ボール，任意形状を有する合成樹脂製の連結ブロックなどを採用することができる。
【００１１】
請求項５に記載の発明は、襟の首回り部に掛止され、装飾体が着脱自在に取り付けられる襟枠を備えた装身具用の装飾体襟保持具であって、前記襟枠は、そのばね力により首を挟持するように襟に掛止されるとともに、該襟の略全長の長さを有するピアノ線で、前記装飾体は、胸元から背中の肩部まで達する長さを有した装飾布であるとともに、その前縁の中間部から後端部付近の領域にかけて涙粒形状の切欠部が形成され、該切欠部の内周縁には、全長にわたって襟枠が内挿される多数個の小リングが所定ピッチで配設された装身具用の装飾体襟保持具である。
【００１２】
請求項６に記載の発明は、襟の首回り部に掛止され、装飾体が着脱自在に取り付けられる襟枠を備えた装身具用の装飾体襟保持具であって、前記襟枠は、線状のばね材からなりそのばね力により首を挟持するように襟に掛止されるとともに、該襟の裏側全体に掛止される長さを有し、この襟枠の両端部には、該襟枠の両端部付近との間で襟の両端を内外方向から挟持する１対の屈曲部が、それぞれ外方に屈曲した状態で形成された装身具用の装飾体襟保持具である。
【００１３】
【作用】
請求項１、請求項５および請求項６に記載の発明によれば、弾性を有する襟枠が自己のばね力によって首を挟持するように襟の首周り部に掛止されるか、弾性または可撓性を有する襟枠を首回り部に巻き付けた後、襟枠の両端部を連結部材によって着脱自在に連結する。これにより、大きさや重さに規制されない好みの装飾体を、襟の首周り部に装着することができる。
【００１４】
特に、請求項２に記載の発明によれば、襟枠とは別に、掛止補助部材によって装飾体を片方の脇の回りおよびまたは衣服の片方の脇の回り部に補助的に掛止する。これにより、例えば大きくて重い装飾体でも、安定して襟に装着することができる。
【００１５】
また、請求項３に記載の発明によれば、襟枠の一端部に、この襟枠に沿って折り返された延長部が形成され、延長部の先端に凹み部分を介して分岐枠が外方に向かって屈曲自在に形成され、襟枠の折り返し部分には、襟枠と分岐枠とに一括して挿着可能な環止めを取り付ける。これにより、分岐枠を正確な屈曲位置で簡単に屈曲することができ、しかも重い装飾体であっても、取り扱い中、装飾体の自重で分岐枠が凹み部分を中心にして屈曲しにくい。
【００１６】
さらに、請求項６の発明によれば、襟枠は、ばね力により首を挟持するように襟に掛止されるとともに、該襟の裏側全体に掛止される長さを有し、この襟枠の両端部には、該襟枠の両端部付近との間で襟の両端を内外方向から挟持する１対の屈曲部が、それぞれ外方に屈曲した状態で形成されている。これにより、重い装飾体を襟枠の襟くびとの対峙部分に掛止しても、襟枠が装飾体の自重で襟からずれ落ちにくい。
【００１７】
【発明の実施の形態】
以下、図面を参照し、この発明の実施例を説明する。まず、図１〜図３を参照して第１の実施例を説明する。
図１〜図３において１０は、この発明の第１の実施例の装身具用の装飾体襟保持具（以下、装飾体襟保持具）で、この装飾体襟保持具１０は、上着１１の首回り部を含む襟１１ａに掛止され、装飾体１２が着脱自在に取り付けられる襟枠１３を備えている。
上着１１は婦人用で、襟１１ａの種類はショールカラーである。装飾体１２は、展開視して矩形状の装飾布で、その長辺は使用者の胸元から背中の肩部まで達する長さを有している。装飾体１２には、その前縁の中間部から後端部付近の領域にかけて、展開視して涙粒形状を有する切欠部が形成されている。切欠部の内周縁には、全長にわたって所定ピッチで多数個の小リング１４…が配設されている。各小リング１４…には、涙粒形状に湾曲された１本の細いピアノ線からなる襟枠１３が内挿されている。この襟枠１３は、襟１１ａの略全長の長さを有している。
【００１８】
第１の実施例の装飾体襟保持具１０の使用時には、まずばね力に抗して襟枠１３の両端部を外方に開く。次に、開口された襟枠１３を使用者の背中側から襟１１ａの裏側の全長にわたって差し込む。これにより、襟枠１３が自己のばね力によって、使用者の首回り部を挟持するように襟１１ａの裏側に掛止される。こうして、布製の装飾体１２により、使用者の胸元から背中の肩部までが飾られる。ここでいう襟１１ａの裏側とは、上着１１の裏地側ではなく、前身ごろと対峙する裏襟の側を意味する。したがって、使用中、襟枠１３は使用者の首に接しない。
別の装飾体に交換する際には小リング１４…から襟枠１３を抜き取り、別の装飾体の小リングに襟枠１３を挿着すればよい。
このように、襟枠１３が自己のばね力により首を挟持するように襟１１ａの首周り部に掛止されるので、大きさや重さに規制されない好みの装飾体１２を、襟１１ａの首周り部に装着することができる。しかも、装飾体１２を襟１１ａに装着する際、従来のようにピンを襟に刺したり、ばね力が大きいピンチなどで襟を挟んだりしない。そのため、襟１１ａを傷めにくい。また、襟枠１３が襟１１ａの略全長の長さを有しているため、大判の布製の装飾体１２でもその自重により肩から滑り落ちにくい。
【００１９】
次に、図４を参照し、この発明の第２の実施例を説明する。
第２の実施例の装飾体襟保持具５０の特徴は、ショールカラーの襟１１ａの裏側全体に襟枠１３Ｄが掛止され、襟枠１３Ｄの長さ方向の中間部、言い換えれば襟くびとの対峙部分に、ミニチュア化されたランドセルである装飾体１２Ｄを、フック５１を介して掛止した点である。
ランドセルはミニチュアでも造花などより重い。その対策として、襟枠１３Ｄの両端を外方に屈曲し、１対の屈曲部１３ｂ，１３ｂをそれぞれ形成する。使用時には、両屈曲部１３ｂ，１３ｂと襟枠１３Ｄの両端部付近との間で、襟１１ａの両端を内外方向から挟持する。これにより、装飾体１２Ｄの自重で装飾体１２Ｄが襟枠１３Ｄとともに、ずれ落ちるのを防ぐことができる。
その他の構造、作用、効果は第１の実施例より推測可能な範囲であるので、説明を省略する。
【００２０】
図５および図６には、この発明の第３の実施例を示す。
第３の実施例の装飾体襟保持具６０では、テーラーカラーの襟１１ｂの裏側全体に襟枠１３Ｅが掛止され、襟枠１３Ｅの一端部が延長され、その延長部１３ｃが略襟枠１３Ｅの全長にわたって折り返されている。延長部１３ｃは、襟枠１３Ｅの他端付近まで達したところで、脇下に向かって略９０度の角度で屈曲される。この屈曲部が、襟１１ｂの周辺から離れた位置に装飾体１２Ｅを配置する分岐枠１３ｄとなる。装飾体１２Ｅは大型の時計である。装飾体１２Ｅは、裏面に突設されたフック１２ａを介して、分岐枠１３ｄの中間部に掛止される。分岐枠１３ｄの先端には小さなフック部が形成されている。フック部には、肩に通されたリング形状を有する掛止補助部材１３ｅの下端部が掛止されている。掛止補助部材１３ｅは、重い装飾体１２Ｅを補助的に肩に掛止する。
図７には、時計の装飾体１２Ｅに代えて一輪挿しの装飾体１２Ｆを分岐枠１３ｄに掛止した例を示す。
【００２１】
このように、襟枠１３Ｅに突設された分岐枠１３ｄに装飾体１２Ｅを取り付けるので、襟１１ｂの周辺から離れた位置に装飾体１２Ｅを配置することができる。また、襟枠１３Ｅとは別に、掛止補助部材１３ｅによって装飾体１２Ｅを肩に補助的に掛止するので、大型で重い時計でも安定して襟１１ｂに装着することができる。
その他の構造、作用、効果は第１の実施例より推測可能な範囲であるので、説明を省略する。
【００２２】
図８および図９には、この発明の第４の実施例を示す。
第４の実施例の装飾体襟保持具７０では、ショールカラーの襟１１ａの裏側全体に襟枠１３Ｇが掛止され、襟枠１３Ｇの一端部が延長され、その延長部１３ｃが襟枠１３Ｇに沿って折り返されている。延長部１３ｃは、襟枠１３Ｇの他端付近まで達したところで、胸のポケット１１ｄに向かって略９０度の角度で屈曲される。この屈曲部が分岐枠１３ｄとなる。装飾体１２Ｇはミニチュア化されたバスケットボールのゴール板である。装飾体１２Ｇは、ポケット１１ｄに入れて保持される。ポケット１１ｄを利用するので、装飾体１２Ｇの安定性が高まる。
分岐枠１３ｄの元部には凹み１３ｆが形成され、正確な屈曲位置で簡単に屈曲できるようになっている。襟枠１３Ｇの折り返し部分には、襟枠１３Ｇと分岐枠１３ｄとに一括して挿着される環止め７１が取り付けられている。装飾体襟保持具７０を外す際には、装飾体１２Ｇをポケット１１ｄから抜き取るとともに、分岐枠１３ｄから外す。次いで、屈曲した分岐枠１３ｄを伸ばし、環止め７１を分岐枠１３ｄの位置まで摺動させる。これにより、重いゴール板の装飾体１２Ｇであっても、取り扱い中、自重で分岐枠１３ｄが凹み１３ｆを中心にして屈曲しにくい。
その他の構造、作用、効果は第１の実施例より推測可能な範囲であるので、説明を省略する。
【００２３】
図１０および図１１には、この発明の第５の実施例を示す。
第５の実施例の装飾体襟保持具８０では、襟１１ｂの裏側全体に襟枠１３Ｈが掛止され、襟枠１３Ｈの襟くびとの対峙部分に、両肩に向かって延びる分岐枠１３ｄ，１３ｄをそれぞれ連結されている。分岐枠１３ｄ，１３ｄの各先端には、対応する肩の頂上部を挟持する小さなフック部１３ｇ，１３ｇがそれぞれ形成されている。分岐枠１３ｄ，１３ｄの両端部には、ミニチュア化された旗である１対の装飾体１２Ｈ，１２Ｈが立設されている。また、分岐枠１３ｄ，１３ｄの両端部には、肩に通されたリング形状を有する掛止補助部材１３ｅ，１３ｅの上端部が掛止されている。掛止補助部材１３ｅ，１３ｅは、分岐枠１３ｄ，１３ｄの振れを防ぐとともに、重い装飾体１２Ｈを補助的に肩に掛止する。フック部１３ｇ，１３ｇおよび掛止補助部材１３ｅ，１３ｅにより、１対のミニチュア化された旗製の装飾体１２Ｈ，１２Ｈを、両肩の上にしっかりと固定することができる。また、フック部１３ｇ，１３ｇにゴム製などのずれ止めを取り付ければ、装飾体１２Ｈ，１２Ｈがよりずれにくい。
その他の構造、作用、効果は第１の実施例より推測可能な範囲であるので、説明を省略する。
【００２４】
図１２には、この発明の第６の実施例を示す。
第６の実施例の装飾体襟保持具９０では、外周面にずれ止め用の植毛部１３ｈが固着された襟枠１３Ｉを有し、襟枠１３Ｉの襟くびとの対峙部分に、一方の肩に向かって延びる分岐枠１３ｄが連結されている。分岐枠１３ｄの先端部には、肩上に配置される立体アートである装飾体１２Ｉが一体形成されている。また、分岐枠１３ｄの先端には小さなフック部１３ｉが形成されている。このフック部１３ｉには、リング形状の掛止補助部材１３ｅの上端部が掛止されている。
襟枠１３Ｉの外周面に植毛部１３ｈを固着したので、大きな装飾体１２Ｉであっても、装飾体１２Ｉの重さで襟枠１３Ｉが襟１１ｂから抜けにくい。
その他の構造、作用、効果は第１の実施例より推測可能な範囲であるので、説明を省略する。
【００２５】
図１３および図１４には、この発明の第７の実施例を示す。
第７の実施例の装飾体襟保持具１００では、タートルネックの襟１１ｃに、螺旋状に巻き付けられる襟枠１３Ｊを有し、襟枠１３Ｊの上端部を延長して分岐枠１３ｄを一体形成している。分岐枠１３ｄの先端部には、小鳥の模型である装飾１２Ｊが固定されている。分岐枠１３ｄの先端には小さなフック部が形成されている。このフック部には、大径なリング形状の掛止補助部材１３ｅの上端部が掛止されている。襟枠１３Ｊの元部には、ゴム製の滑り止めが固着されている。
使用時には、襟枠１３Ｊを広げて頭から被り、これをタートルネックの襟１１ｃに外方から巻き付ける。その後、フック部に掛止補助部材１３ｅを掛止し、装飾体１２Ｊを肩の上方に固定する。
その他の構造、作用、効果は第１の実施例より推測可能な範囲であるので、説明を省略する。
【００２６】
図１５〜図１７には、この発明の第８の実施例を示す。
第８の実施例の装飾体襟保持具１１０では、襟１１ａの裏側全体に襟枠１３Ｋが掛止され、襟枠１３Ｋの一端部を襟くびとの対峙部分まで延長し、その先になだらかなに湾曲した分岐枠１３ｄが一体形成されている。分岐枠１３ｄの先端部には、小型の提灯である装飾体１２Ｋが固定されている。装飾体１２Ｋの下端部には図示しない小さなフック部が形成されている。フック部には、肩に通された掛止補助部材１３ｅの上端部が掛止されている。
襟枠１３Ｋの両端部には、外方に屈曲した１対の屈曲部１３ｊ，１３ｊがそれぞれ形成されている。使用時には、両屈曲部１３ｊ，１３ｊと襟枠１３Ｋの両端部付近との間で、襟１１ａの両端を内外方向から挟持することで、装飾体１２Ｋの自重による襟枠１３Ｋのずれを防止することができる。
その他の構造、作用、効果は第１の実施例より推測可能な範囲であるので、説明を省略する。
【００２７】
図１８〜図２０には、この発明の第９の実施例を示す。
第９の実施例の装飾体襟保持具１２０では、タートルネックの襟１１ｃに前方向から掛止されるリング形状の襟枠１３Ｌを有し、襟枠１３Ｌの両端部を延長して両側の耳の裏まで達する分岐枠１３ｄ，１３ｄが一体形成されている。両分岐枠１３ｄ，１３ｄの先端部には、耳たぶの付け根の裏に存在する凹みに当てがわれる小玉１２１，１２１がそれぞれ固着されている。両小玉１２１，１２１は、ゴム製のずれ止め１２１ａ，１２１ａによって被われている。また、両小玉１２１，１２１には、なだらかに円弧を描く１対の装飾紐である装飾体１２Ｌ，１２Ｌがそれぞれ垂れ下がっている。小玉１２１，１２１に加えて、耳たぶに掛止される小型のクリップ１２２，１２２を使用すれば、装飾体１２Ｌ，１２Ｌの耳たぶからの位置ずれを確実に防ぐことができる。
その他の構造、作用、効果は第１の実施例より推測可能な範囲であるので、説明を省略する。
【００２８】
図２１および図２２には、この発明の第１０の実施例を示す。
第１０の実施例の装飾体襟保持具１３０では、タートルネックの襟１１ｃに螺旋状の襟枠１３Ｍを巻き付け、襟枠１３Ｍの上端部を延長して一方の耳まで達する分岐枠１３ｄが一体形成されている。分岐枠１３ｄの先端部には、短尺な連結キャップ１３１を介して、片耳に被せられた装飾体１２Ｍの線状の連結部が連結されている。装飾体１２Ｍは、ピアノ線を椀型のような立体的な渦巻き形状に湾曲させたベース体１３２と、このベース体１３２を外方から被う伸縮自在なネット１３３とを有している。連結キャップ１３１は、ベース体１３２の外側の端部に固着されている。
使用時には、襟枠１３Ｍを襟１１ｃに巻き付け、片方の耳に装飾体１２Ｍを被せる。そして、連結キャップ１３１を介して、ベース体１３２と分岐枠１３ｄとを連結する。
このように、分岐枠１３ｄを介して、耳を被う大きな装飾体１２Ｍであってもしっかりと耳に固定することができる。
その他の構造、作用、効果は第１の実施例より推測可能な範囲であるので、説明を省略する。
【００２９】
【発明の効果】
請求項１、請求項５および請求項６に記載の発明によれば、弾性を有する襟枠が自己のばね力によって首を挟持するように襟の首周り部に掛止されるか、弾性または可撓性を有する襟枠を首回り部に巻き付けた後、襟枠の両端部を連結部材によって着脱自在に連結するので、大きさや重さに規制されない好みの装飾体を、襟の首周り部に装着することができる。
また、襟枠に突設された分岐枠に装飾体を取り付けるので、襟の周辺から離れた位置に装飾体を配置することができる。
【００３０】
特に、請求項２に記載の発明によれば、襟枠とは別に、掛止補助部材によって装飾体を片方の脇の回りおよびまたは衣服の片方の脇の回り部に補助的に掛止する。これにより、例えば大きくて重い装飾体でも、安定して襟に装着することができる。
【００３１】
また、請求項３に記載の発明によれば、襟枠の一端部に、この襟枠に沿って折り返された延長部が形成され、延長部の先端に凹み部分を介して分岐枠が外方に向かって屈曲自在に形成され、襟枠の折り返し部分には、襟枠と分岐枠とに一括して挿着可能な環止めを取り付けるようにしたので、分岐枠を正確な屈曲位置で簡単に屈曲することができ、しかも重い装飾体であっても、取り扱い中、装飾体の自重で分岐枠が凹み部分を中心にして屈曲しにくい。
【００３２】
さらに、請求項６に記載の発明によれば、襟枠は、ばね力により首を挟持するように襟に掛止されるとともに、該襟の裏側全体に掛止される長さを有し、この襟枠の両端部には、該襟枠の両端部付近との間で襟の両端を内外方向から挟持する１対の屈曲部が、それぞれ外方に屈曲した状態で形成されているようにしたので、重い装飾体を襟枠の襟くびとの対峙部分に掛止しても、襟枠が装飾体の自重で襟からずれ落ちにくい。
【図面の簡単な説明】
【図１】この発明の第１の実施例に係る装身具用の装飾体襟保持具の使用状態を示す正面図である。
【図２】（ａ）は、この発明の第１の実施例に係る装身具用の装飾体襟保持具の展開図である。
（ｂ）は、図２（ａ）の要部拡大図である。
【図３】この発明の第１の実施例に係る装身具用の装飾体襟保持具の使用状態を示す背面図である。
【図４】（ａ）は、この発明の第２の実施例に係る装身具用の装飾体襟保持具の使用状態を示す側面図である。
（ｂ）は、装飾体の側面図である。
（ｃ）は、図４（ａ）の一部断面図を含む要部拡大図である。
【図５】（ａ）は、この発明の第３の実施例に係る装身具用の装飾体襟保持具の使用状態を示す正面図である。
（ｂ）は、装飾体の側面図である。
【図６】この発明の第３の実施例に係る装身具用の装飾体襟保持具を示す正面図である。
【図７】（ａ）は、この発明の第３の実施例に係る別の装飾体が取り付けられた装身具用の装飾体襟保持具を示す正面図である。
（ｂ）は、別の装飾体の側面図である。
【図８】この発明の第４の実施例に係る装身具用の装飾体襟保持具の使用状態を示す正面図である。
【図９】（ａ）は、この発明の第４の実施例に係る装身具用の装飾体襟保持具の使用状態を示す一部断面図を含む要部拡大正面図である。
（ｂ）は、この発明の第４の実施例に係る装身具用の装飾体襟保持具の使用方法を説明する要部拡大断面図である。
（ｃ）は、この発明の第４の実施例に係る装身具用の装飾体襟保持具の使用状態を示す要部拡大断面図である。
【図１０】（ａ）は、この発明の第５の実施例に係る装身具用の装飾体襟保持具の使用状態を示す正面図である。
（ｂ）は、図１０（ａ）の要部拡大図である。
【図１１】この発明の第５の実施例に係る装身具用の装飾体襟保持具の正面図である。
【図１２】（ａ）は、この発明の第６の実施例に係る装身具用の装飾体襟保持具の使用状態を示す正面図である。
（ｂ）は、図１２（ａ）の要部を側面視した図である。
（ｃ）は、図１２（ａ）の他の要部の拡大図である。
【図１３】この発明の第７の実施例に係る装身具用の装飾体襟保持具の使用状態を示す正面図である。
【図１４】この発明の第７の実施例に係る装身具用の装飾体襟保持具の使用状態を示す背面図である。
【図１５】この発明の第８の実施例に係る装身具用の装飾体襟保持具の使用状態を示す正面図である。
【図１６】この発明の第８の実施例に係る装身具用の装飾体襟保持具の平面図である。
【図１７】この発明の第８の実施例に係る装身具用の装飾体襟保持具の使用状態を示す背面図である。
【図１８】この発明の第９の実施例に係る装身具用の装飾体襟保持具の使用状態を示す側面図である。
【図１９】（ａ）は、この発明の第９の実施例に係る装身具用の装飾体襟保持具の斜視図である。
（ｂ）は、図１８の一部断面図を含む要部拡大図である。
【図２０】（ａ）は、この発明の第９の実施例に係る装身具用の装飾体襟保持具の使用状態における要部拡大正面図である。
（ｂ）は、この発明の第９の実施例に係る装身具用の装飾体襟保持具の使用状態における要部拡大断面図である。
【図２１】（ａ）は、この発明の第１０の実施例に係る装身具用の装飾体襟保持具の使用状態を示す側面図である。
（ｂ）は、この発明の第１０の実施例に係る装身具用の装飾体襟保持具の一部破断図を含む要部拡大正面図である。
（ｃ）は、図２１（ｂ）の要部拡大断面図である。
【図２２】（ａ）は、この発明の第１０の実施例に係る装身具用の装飾体襟保持具の使用状態を示す一部断面図を含む背面図である。
（ｂ）は、図２２（ａ）の要部拡大図である。
【符号の説明】
１０，５０，６０，７０，８０　装身具用の装飾体襟保持具、
９０，１００，１１０，１２０，１３０　装身具用の装飾体襟保持具、
１１ａ〜１１ｄ　襟、
１２，１２Ａ〜１２Ｒ　装飾体、
１３，１３Ａ〜１３Ｒ　襟枠、
１３１　緩衝部材、
１３ｄ　分岐枠、
１３ｅ　掛止補助部材、
１５１　連結リング（連結部材）。




【手続補正書】
【提出日】平成15年7月31日(2003.7.31)
【手続補正１】
【補正対象書類名】明細書
【補正対象項目名】全文
【補正方法】変更
【補正の内容】
【特許請求の範囲】
【請求項１】襟の首回り部に掛止され、装飾体が着脱自在に取り付けられる襟枠を備えた装身具用の装飾体襟保持具であって、
前記襟枠は、線状のばね材からなり、そのばね力により首を挟持するように襟に掛止され、
この襟枠には、その一端部が延長され、前記襟の周辺から離れた位置に装飾体を配置する分岐枠が突設された装身具用の装飾体襟保持具。
【請求項２】前記装飾体を補助的に掛止するための、肩に通されたリング形状を有する掛止補助部材の下端部が、前記分岐枠の先端に掛止された請求項１に記載の装身具用の装飾体襟保持具。
【請求項３】襟の首回り部に掛止され、装飾体が着脱自在に取り付けられる襟枠を備えた装身具用の装飾体襟保持具であって、
　前記襟枠は、線状のばね材からなり、そのばね力により首を挟持するように襟に掛止され、
　前記襟枠の一端部が延長され、その延長部が襟枠に沿って折り返され、
　この延長部は、襟枠の他端付近で略９０度の角度で屈曲され、この屈曲部が前記襟の周辺から離れた位置に装飾体を配置する分岐枠となり、分岐枠の元部には凹みが形成されるとともに、
　襟枠の折り返し部分には、襟枠と分岐枠とに一括して挿着される環止めが取り付けられた装身具用の装飾体襟保持具。
【請求項４】襟の首回り部に掛止され、装飾体が着脱自在に取り付けられる襟枠を備えた装身具用の装飾体襟保持具であって、
　前記襟枠は、線状のばね材からなり、そのばね力により首を挟持するように襟に掛止され、
　襟枠の襟くびとの対峙部分に、前記襟の周辺から離れた位置に装飾体を配置するための両肩に向かって延びる分岐枠がそれぞれ連結され、分岐枠の各先端には、対応する肩の頂上部を挟持するフック部がそれぞれ形成された装身具用の装飾体襟保持具。
【発明の詳細な説明】
【０００１】
【発明の属する技術分野】
この発明は装身具用の装飾体襟保持具、詳しくは衣服の襟に装飾体を装着する装身具用の装飾体襟保持具に関する。
【０００２】
【従来の技術】
上着の襟を飾る装身具用の装飾体襟保持具として、例えば（１）特許文献１のものと、（２）特許文献２のものと、（３）特許文献３のものとが知られている。
（１）　の従来手段は、表面に宝石などの装飾体が固着された１対の支持部と、各支持部の裏面に配設された１対の挟持具とが一体化された本体を有し、ワイシャツなどのカラー（襟）の前面側に配された１対の開襟部を、対応する支持部と挟持具とによってそれぞれ挟持し、襟を装飾体により装飾する。
（２）　の従来手段は、表面に装飾体が固着された１対の係止具を鎖により連結し、各係止具により両開襟部を係止することで、襟を装飾体により装飾する。
（３）　の従来手段は、襟の先端部を包む金具本体の表側に飾り板を固着し、裏側に操作部と押さえ部とよりなる略Ｌ字状のレバーを回動自在に軸支し、この押さえ部と飾り板の裏面との間で襟を挟持することで、襟を装飾体により装飾する。
【特許文献１】特開平７−２７８９０２号公報（第１頁、図１）
【特許文献２】実開平６−３９９２１号公報（第１頁、図１）
【特許文献３】実開昭６２−９８５１８号公報（第１頁、図１）
【０００３】
【発明が解決しようとする課題】
しかしながら、これらの従来の装身具用の装飾体襟保持具にあっては、以下に示す問題点があった。
すなわち、（１）　〜（３）　の従来手段は、何れも襟の前面側の両開襟部に、装飾体が固着された所定の係止部材を、装飾体を露出させた状態で係止する構造を採用したので、襟に装着することが可能な装飾体の大きさ、重さには限界があった。例えば、数十グラム程度の装飾体を開襟部に装着しただけで、襟が垂れて着崩れを起こしたり、薄い生地の場合には開襟部が破けたりするおそれがあった。
また、（１）　〜（３）　の従来手段によれば、装飾体は所定の係止部材に固着されていた。そのため、既製の装飾体ではない装飾体、例えばオリジナルな装飾体により襟を装飾することはできなかった。
【０００４】
そこで、発明者は、鋭意研究の結果、襟の首回り部に掛止され、装飾体が着脱自在に取り付けられる襟枠を備え、この襟枠がばね力により首を挟持するように襟に掛止されるか、襟枠の両端部を連結部材により着脱自在に連結して襟の首回り部に巻き付けるようにすれば、大きさや重さに規制されない好みの装飾体を任意に襟に装着することができることを知見し、この発明を完成させた。
【０００５】
【発明の目的】
この発明は、大きさや重さに規制されない装飾体を襟に装着することができ、しかも好みに応じて別の装飾体に交換することができる装身具用の装飾体襟保持具を提供することを、その目的としている。
また、この発明は、襟の周辺から離れた位置に装飾体を安定して配置することができる装身具用の装飾体襟保持具を提供することを、その目的としている。
この発明は、分岐枠を正確な屈曲位置で簡単に屈曲することができ、しかも重い装飾体であっても、取り扱い中、装飾体の自重で分岐枠が凹み部分を中心にして屈曲しにくい装身具用の装飾体襟保持具を提供することを、その目的としている。
この発明は、重い装飾体を襟枠の襟くびとの対峙部分に掛止しても、襟枠が装飾体の自重で襟からずれ落ちにくい装身具用の装飾体襟保持具を提供することを、その目的としている。
【０００６】
【課題を解決するための手段】
請求項１に記載の発明は、襟の首回り部に掛止され、装飾体が着脱自在に取り付けられる襟枠を備えた装身具用の装飾体襟保持具であって、前記襟枠は、線状のばね材からなり、そのばね力により首を挟持するように襟に掛止され、この襟枠には、その一端部が延長され、前記襟の周辺から離れた位置に装飾体を配置する分岐枠が突設された装身具用の装飾体襟保持具。装身具用の装飾体襟保持具である。
襟の種類は限定されない。例えば、スタンドカラー，テーラーカラー，シャツカラー，ステンカラー，ショールカラー，オープンカラー，セーラーカラー，フラットカラー，詰め襟，タートルネックなどを採用することができる。
襟の首回り部とは、襟くび（首の後ろの部分）を含む首回りの部分をいう。例えば、テーラーカラーやショールカラーの前部のように、大きく開いた胸元に配置される部分は除く。
装飾体の素材、形状、大きさなどは限定されない。例えば、生花，造花，ベル，旗，ちょうちん，のれん，びん，缶，時計，美術品，工芸品などを採用することができる。
【０００７】
装飾体は、襟枠から分岐された分岐枠により間接的に取り付けてもよい。
また、装飾体は、使用者の前方に向けてもよいし、上方に向けてもよい。さらには、使用者の後方または下方に向けてもよい。
装飾体の襟枠に対する掛止構造は限定されない。
襟枠は、襟の内側に取り付けてもよい。または、襟の外側に取り付けてもよい。
襟枠にばね力を付与する方法としては、例えば襟枠自体をばね材で設ける方法、襟枠にばね材を取り付ける方法などを採用することができる。ばね材としては、例えばコイルばね，線状のばねなどの一般的なばね材が挙げられる。その他、ゴムや弾性を有する各種の軟質合成樹脂などでもよい。要は、そのばね力により、首を挟持するように襟に掛止できればよい。
分岐枠は、襟枠と一体的に形成してもよい。または別体で形成してもよい。分岐枠の素材は限定されない。襟枠と同じ素材でも別の素材でもよい。分岐枠の長さ、太さなどは限定されない。
【０００８】
請求項２に記載の発明は、前記装飾体を補助的に掛止するための、肩に通されたリング形状を有する掛止補助部材の下端部が、前記分岐枠の先端に掛止された請求項１に記載の装身具用の装飾体襟保持具である。
掛止補助部材は、装飾体と一体的に形成してもよい。または別体でもよい。
掛止補助部材は身体の脇の周りに掛止してもよい。または衣服の脇の周り部に掛止してもよい。さらには、脇の周りと衣服の脇の回り部とにそれぞれ掛止してもよい。
掛止補助部材の素材、形状、大きさなどは限定されない。
【０００９】
請求項３に記載の発明は、襟の首回り部に掛止され、装飾体が着脱自在に取り付けられる襟枠を備えた装身具用の装飾体襟保持具であって、前記襟枠は、線状のばね材からなり、そのばね力により首を挟持するように襟に掛止され、前記襟枠の一端部が延長され、その延長部が襟枠に沿って折り返され、この延長部は、襟枠の他端付近で略９０度の角度で屈曲され、この屈曲部が前記襟の周辺から離れた位置に装飾体を配置する分岐枠となり、分岐枠の元部には凹みが形成されるとともに、襟枠の折り返し部分には、襟枠と分岐枠とに一括して挿着される環止めが取り付けられた装身具用の装飾体襟保持具である。
【００１０】
請求項４に記載の発明は、襟の首回り部に掛止され、装飾体が着脱自在に取り付けられる襟枠を備えた装身具用の装飾体襟保持具であって、前記襟枠は、線状のばね材からなり、そのばね力により首を挟持するように襟に掛止され、襟枠の襟くびとの対峙部分に、前記襟の周辺から離れた位置に装飾体を配置するための両肩に向かって延びる分岐枠がそれぞれ連結され、分岐枠の各先端には、対応する肩の頂上部を挟持するフック部がそれぞれ形成された装身具用の装飾体襟保持具である。
ここでいう襟枠としては、例えばばね力により首を挟持するように襟に掛止される弾性部材からなるものを採用することができる。
【００１１】
【作用】
請求項１〜請求項４に記載の発明によれば、弾性を有する襟枠が自己のばね力によって首を挟持するように襟の首周り部に掛止される。また、襟枠から突設された分岐枠に装飾体を取り付ける。これにより、大きさや重さに規制されない好みの装飾体を、襟の周辺から離れた位置に装着することができる。
【００１２】
特に、請求項２に記載の発明によれば、襟枠とは別に、掛止補助部材によって装飾体を片方の脇の回りおよびまたは衣服の片方の脇の回り部に補助的に掛止する。これにより、例えば大きくて重い装飾体でも、安定して襟に装着することができる。
【００１３】
また、請求項４に記載の発明によれば、襟枠の一端部に、この襟枠に沿って折り返された延長部が形成され、延長部の先端に凹み部分を介して分岐枠が外方に向かって屈曲自在に形成され、襟枠の折り返し部分には、襟枠と分岐枠とに一括して挿着可能な環止めを取り付ける。これにより、分岐枠を正確な屈曲位置で簡単に屈曲することができ、しかも重い装飾体であっても、取り扱い中、装飾体の自重で分岐枠が凹み部分を中心にして屈曲しにくい。
【００１４】
【発明の実施の形態】
以下、図面を参照し、この発明の実施例を説明する。まず、図１〜図３を参照して第１の実施例を説明する。
図１〜図３において１０は、この発明の第１の実施例の装身具用の装飾体襟保持具（以下、装飾体襟保持具）で、この装飾体襟保持具１０は、上着１１の首回り部を含む襟１１ａに掛止され、装飾体１２が着脱自在に取り付けられる襟枠１３を備えている。
上着１１は婦人用で、襟１１ａの種類はショールカラーである。装飾体１２は、展開視して矩形状の装飾布で、その長辺は使用者の胸元から背中の肩部まで達する長さを有している。装飾体１２には、その前縁の中間部から後端部付近の領域にかけて、展開視して涙粒形状を有する切欠部が形成されている。切欠部の内周縁には、全長にわたって所定ピッチで多数個の小リング１４…が配設されている。各小リング１４…には、涙粒形状に湾曲された１本の細いピアノ線からなる襟枠１３が内挿されている。この襟枠１３は、襟１１ａの略全長の長さを有している。
【００１５】
第１の実施例の装飾体襟保持具１０の使用時には、まずばね力に抗して襟枠１３の両端部を外方に開く。次に、開口された襟枠１３を使用者の背中側から襟１１ａの裏側の全長にわたって差し込む。これにより、襟枠１３が自己のばね力によって、使用者の首回り部を挟持するように襟１１ａの裏側に掛止される。こうして、布製の装飾体１２により、使用者の胸元から背中の肩部までが飾られる。ここでいう襟１１ａの裏側とは、上着１１の裏地側ではなく、前身ごろと対峙する裏襟の側を意味する。したがって、使用中、襟枠１３は使用者の首に接しない。
別の装飾体に交換する際には小リング１４…から襟枠１３を抜き取り、別の装飾体の小リングに襟枠１３を挿着すればよい。
このように、襟枠１３が自己のばね力により首を挟持するように襟１１ａの首周り部に掛止されるので、大きさや重さに規制されない好みの装飾体１２を、襟１１ａの首周り部に装着することができる。しかも、装飾体１２を襟１１ａに装着する際、従来のようにピンを襟に刺したり、ばね力が大きいピンチなどで襟を挟んだりしない。そのため、襟１１ａを傷めにくい。また、襟枠１３が襟１１ａの略全長の長さを有しているため、大判の布製の装飾体１２でもその自重により肩から滑り落ちにくい。
【００１６】
次に、図４を参照し、この発明の第２の実施例を説明する。
第２の実施例の装飾体襟保持具５０の特徴は、ショールカラーの襟１１ａの裏側全体に襟枠１３Ｄが掛止され、襟枠１３Ｄの長さ方向の中間部、言い換えれば襟くびとの対峙部分に、ミニチュア化されたランドセルである装飾体１２Ｄを、フック５１を介して掛止した点である。
ランドセルはミニチュアでも造花などより重い。その対策として、襟枠１３Ｄの両端を外方に屈曲し、１対の屈曲部１３ｂ，１３ｂをそれぞれ形成する。使用時には、両屈曲部１３ｂ，１３ｂと襟枠１３Ｄの両端部付近との間で、襟１１ａの両端を内外方向から挟持する。これにより、装飾体１２Ｄの自重で装飾体１２Ｄが襟枠１３Ｄとともに、ずれ落ちるのを防ぐことができる。
その他の構造、作用、効果は第１の実施例より推測可能な範囲であるので、説明を省略する。
【００１７】
図５および図６には、この発明の第３の実施例を示す。
第３の実施例の装飾体襟保持具６０では、テーラーカラーの襟１１ｂの裏側全体に襟枠１３Ｅが掛止され、襟枠１３Ｅの一端部が延長され、その延長部１３ｃが略襟枠１３Ｅの全長にわたって折り返されている。延長部１３ｃは、襟枠１３Ｅの他端付近まで達したところで、脇下に向かって略９０度の角度で屈曲される。この屈曲部が、襟１１ｂの周辺から離れた位置に装飾体１２Ｅを配置する分岐枠１３ｄとなる。装飾体１２Ｅは大型の時計である。装飾体１２Ｅは、裏面に突設されたフック１２ａを介して、分岐枠１３ｄの中間部に掛止される。分岐枠１３ｄの先端には小さなフック部が形成されている。フック部には、肩に通されたリング形状を有する掛止補助部材１３ｅの下端部が掛止されている。掛止補助部材１３ｅは、重い装飾体１２Ｅを補助的に肩に掛止する。
図７には、時計の装飾体１２Ｅに代えて一輪挿しの装飾体１２Ｆを分岐枠１３ｄに掛止した例を示す。
【００１８】
このように、襟枠１３Ｅに突設された分岐枠１３ｄに装飾体１２Ｅを取り付けるので、襟１１ｂの周辺から離れた位置に装飾体１２Ｅを配置することができる。また、襟枠１３Ｅとは別に、掛止補助部材１３ｅによって装飾体１２Ｅを肩に補助的に掛止するので、大型で重い時計でも安定して襟１１ｂに装着することができる。
その他の構造、作用、効果は第１の実施例より推測可能な範囲であるので、説明を省略する。
【００１９】
図８および図９には、この発明の第４の実施例を示す。
第４の実施例の装飾体襟保持具７０では、ショールカラーの襟１１ａの裏側全体に襟枠１３Ｇが掛止され、襟枠１３Ｇの一端部が延長され、その延長部１３ｃが襟枠１３Ｇに沿って折り返されている。延長部１３ｃは、襟枠１３Ｇの他端付近まで達したところで、胸のポケット１１ｄに向かって略９０度の角度で屈曲される。この屈曲部が分岐枠１３ｄとなる。装飾体１２Ｇはミニチュア化されたバスケットボールのゴール板である。装飾体１２Ｇは、ポケット１１ｄに入れて保持される。ポケット１１ｄを利用するので、装飾体１２Ｇの安定性が高まる。
分岐枠１３ｄの元部には凹み１３ｆが形成され、正確な屈曲位置で簡単に屈曲できるようになっている。襟枠１３Ｇの折り返し部分には、襟枠１３Ｇと分岐枠１３ｄとに一括して挿着される環止め７１が取り付けられている。装飾体襟保持具７０を外す際には、装飾体１２Ｇをポケット１１ｄから抜き取るとともに、分岐枠１３ｄから外す。次いで、屈曲した分岐枠１３ｄを伸ばし、環止め７１を分岐枠１３ｄの位置まで摺動させる。これにより、重いゴール板の装飾体１２Ｇであっても、取り扱い中、自重で分岐枠１３ｄが凹み１３ｆを中心にして屈曲しにくい。
その他の構造、作用、効果は第１の実施例より推測可能な範囲であるので、説明を省略する。
【００２０】
図１０および図１１には、この発明の第５の実施例を示す。
第５の実施例の装飾体襟保持具８０では、襟１１ｂの裏側全体に襟枠１３Ｈが掛止され、襟枠１３Ｈの襟くびとの対峙部分に、両肩に向かって延びる分岐枠１３ｄ，１３ｄをそれぞれ連結されている。分岐枠１３ｄ，１３ｄの各先端には、対応する肩の頂上部を挟持する小さなフック部１３ｇ，１３ｇがそれぞれ形成されている。分岐枠１３ｄ，１３ｄの両端部には、ミニチュア化された旗である１対の装飾体１２Ｈ，１２Ｈが立設されている。また、分岐枠１３ｄ，１３ｄの両端部には、肩に通されたリング形状を有する掛止補助部材１３ｅ，１３ｅの上端部が掛止されている。掛止補助部材１３ｅ，１３ｅは、分岐枠１３ｄ，１３ｄの振れを防ぐとともに、重い装飾体１２Ｈを補助的に肩に掛止する。フック部１３ｇ，１３ｇおよび掛止補助部材１３ｅ，１３ｅにより、１対のミニチュア化された旗製の装飾体１２Ｈ，１２Ｈを、両肩の上にしっかりと固定することができる。また、フック部１３ｇ，１３ｇにゴム製などのずれ止めを取り付ければ、装飾体１２Ｈ，１２Ｈがよりずれにくい。
その他の構造、作用、効果は第１の実施例より推測可能な範囲であるので、説明を省略する。
【００２１】
図１２には、この発明の第６の実施例を示す。
第６の実施例の装飾体襟保持具９０では、外周面にずれ止め用の植毛部１３ｈが固着された襟枠１３Ｉを有し、襟枠１３Ｉの襟くびとの対峙部分に、一方の肩に向かって延びる分岐枠１３ｄが連結されている。分岐枠１３ｄの先端部には、肩上に配置される立体アートである装飾体１２Ｉが一体形成されている。また、分岐枠１３ｄの先端には小さなフック部１３ｉが形成されている。このフック部１３ｉには、リング形状の掛止補助部材１３ｅの上端部が掛止されている。
襟枠１３Ｉの外周面に植毛部１３ｈを固着したので、大きな装飾体１２Ｉであっても、装飾体１２Ｉの重さで襟枠１３Ｉが襟１１ｂから抜けにくい。
その他の構造、作用、効果は第１の実施例より推測可能な範囲であるので、説明を省略する。
【００２２】
図１３および図１４には、この発明の第７の実施例を示す。
第７の実施例の装飾体襟保持具１００では、タートルネックの襟１１ｃに、螺旋状に巻き付けられる襟枠１３Ｊを有し、襟枠１３Ｊの上端部を延長して分岐枠１３ｄを一体形成している。分岐枠１３ｄの先端部には、小鳥の模型である装飾１２Ｊが固定されている。分岐枠１３ｄの先端には小さなフック部が形成されている。このフック部には、大径なリング形状の掛止補助部材１３ｅの上端部が掛止されている。襟枠１３Ｊの元部には、ゴム製の滑り止めが固着されている。
使用時には、襟枠１３Ｊを広げて頭から被り、これをタートルネックの襟１１ｃに外方から巻き付ける。その後、フック部に掛止補助部材１３ｅを掛止し、装飾体１２Ｊを肩の上方に固定する。
その他の構造、作用、効果は第１の実施例より推測可能な範囲であるので、説明を省略する。
【００２３】
図１５〜図１７には、この発明の第８の実施例を示す。
第８の実施例の装飾体襟保持具１１０では、襟１１ａの裏側全体に襟枠１３Ｋが掛止され、襟枠１３Ｋの一端部を襟くびとの対峙部分まで延長し、その先になだらかなに湾曲した分岐枠１３ｄが一体形成されている。分岐枠１３ｄの先端部には、小型の提灯である装飾体１２Ｋが固定されている。装飾体１２Ｋの下端部には図示しない小さなフック部が形成されている。フック部には、肩に通された掛止補助部材１３ｅの上端部が掛止されている。
襟枠１３Ｋの両端部には、外方に屈曲した１対の屈曲部１３ｊ，１３ｊがそれぞれ形成されている。使用時には、両屈曲部１３ｊ，１３ｊと襟枠１３Ｋの両端部付近との間で、襟１１ａの両端を内外方向から挟持することで、装飾体１２Ｋの自重による襟枠１３Ｋのずれを防止することができる。
その他の構造、作用、効果は第１の実施例より推測可能な範囲であるので、説明を省略する。
【００２４】
図１８〜図２０には、この発明の第９の実施例を示す。
第９の実施例の装飾体襟保持具１２０では、タートルネックの襟１１ｃに前方向から掛止されるリング形状の襟枠１３Ｌを有し、襟枠１３Ｌの両端部を延長して両側の耳の裏まで達する分岐枠１３ｄ，１３ｄが一体形成されている。両分岐枠１３ｄ，１３ｄの先端部には、耳たぶの付け根の裏に存在する凹みに当てがわれる小玉１２１，１２１がそれぞれ固着されている。両小玉１２１，１２１は、ゴム製のずれ止め１２１ａ，１２１ａによって被われている。また、両小玉１２１，１２１には、なだらかに円弧を描く１対の装飾紐である装飾体１２Ｌ，１２Ｌがそれぞれ垂れ下がっている。小玉１２１，１２１に加えて、耳たぶに掛止される小型のクリップ１２２，１２２を使用すれば、装飾体１２Ｌ，１２Ｌの耳たぶからの位置ずれを確実に防ぐことができる。
その他の構造、作用、効果は第１の実施例より推測可能な範囲であるので、説明を省略する。
【００２５】
図２１および図２２には、この発明の第１０の実施例を示す。
第１０の実施例の装飾体襟保持具１３０では、タートルネックの襟１１ｃに螺旋状の襟枠１３Ｍを巻き付け、襟枠１３Ｍの上端部を延長して一方の耳まで達する分岐枠１３ｄが一体形成されている。分岐枠１３ｄの先端部には、短尺な連結キャップ１３１を介して、片耳に被せられた装飾体１２Ｍの線状の連結部が連結されている。装飾体１２Ｍは、ピアノ線を椀型のような立体的な渦巻き形状に湾曲させたベース体１３２と、このベース体１３２を外方から被う伸縮自在なネット１３３とを有している。連結キャップ１３１は、ベース体１３２の外側の端部に固着されている。
使用時には、襟枠１３Ｍを襟１１ｃに巻き付け、片方の耳に装飾体１２Ｍを被せる。そして、連結キャップ１３１を介して、ベース体１３２と分岐枠１３ｄとを連結する。
このように、分岐枠１３ｄを介して、耳を被う大きな装飾体１２Ｍであってもしっかりと耳に固定することができる。
その他の構造、作用、効果は第１の実施例より推測可能な範囲であるので、説明を省略する。
【００２６】
【発明の効果】
請求項１〜請求項４に記載の発明によれば、弾性を有する襟枠が自己のばね力によって首を挟持するように襟の首周り部に掛止される。そして、この襟枠から延長された分岐枠に装飾体が配置される。この結果、大きさや重さに規制されない好みの装飾体を、襟の周辺から離れた位置に配置することができる。
【００２７】
特に、請求項２に記載の発明によれば、分岐枠とは別に、掛止補助部材によって装飾体を片方の脇の回りおよびまたは衣服の片方の脇の回り部に補助的に掛止する。これにより、例えば大きくて重い装飾体でも、安定して装着することができる。
【００２８】
また、請求項３に記載の発明によれば、襟枠の一端部に、この襟枠に沿って折り返された延長部が形成され、延長部の先端に凹み部分を介して分岐枠が外方に向かって屈曲自在に形成され、襟枠の折り返し部分には、襟枠と分岐枠とに一括して挿着可能な環止めを取り付けるようにしたので、分岐枠を正確な屈曲位置で簡単に屈曲することができ、しかも重い装飾体であっても、取り扱い中、装飾体の自重で分岐枠が凹み部分を中心にして屈曲しにくい。
【００２９】
【図面の簡単な説明】
【図１】この発明の第１の実施例に係る装身具用の装飾体襟保持具の使用状態を示す正面図である。
【図２】（ａ）は、この発明の第１の実施例に係る装身具用の装飾体襟保持具の展開図である。
（ｂ）は、図２（ａ）の要部拡大図である。
【図３】この発明の第１の実施例に係る装身具用の装飾体襟保持具の使用状態を示す背面図である。
【図４】（ａ）は、この発明の第２の実施例に係る装身具用の装飾体襟保持具の使用状態を示す側面図である。
（ｂ）は、装飾体の側面図である。
（ｃ）は、図４（ａ）の一部断面図を含む要部拡大図である。
【図５】（ａ）は、この発明の第３の実施例に係る装身具用の装飾体襟保持具の使用状態を示す正面図である。
（ｂ）は、装飾体の側面図である。
【図６】この発明の第３の実施例に係る装身具用の装飾体襟保持具を示す正面図である。
【図７】（ａ）は、この発明の第３の実施例に係る別の装飾体が取り付けられた装身具用の装飾体襟保持具を示す正面図である。
（ｂ）は、別の装飾体の側面図である。
【図８】この発明の第４の実施例に係る装身具用の装飾体襟保持具の使用状態を示す正面図である。
【図９】（ａ）は、この発明の第４の実施例に係る装身具用の装飾体襟保持具の使用状態を示す一部断面図を含む要部拡大正面図である。
（ｂ）は、この発明の第４の実施例に係る装身具用の装飾体襟保持具の使用方法を説明する要部拡大断面図である。
（ｃ）は、この発明の第４の実施例に係る装身具用の装飾体襟保持具の使用状態を示す要部拡大断面図である。
【図１０】（ａ）は、この発明の第５の実施例に係る装身具用の装飾体襟保持具の使用状態を示す正面図である。
（ｂ）は、図１０（ａ）の要部拡大図である。
【図１１】この発明の第５の実施例に係る装身具用の装飾体襟保持具の正面図である。
【図１２】（ａ）は、この発明の第６の実施例に係る装身具用の装飾体襟保持具の使用状態を示す正面図である。
（ｂ）は、図１２（ａ）の要部を側面視した図である。
（ｃ）は、図１２（ａ）の他の要部の拡大図である。
【図１３】この発明の第７の実施例に係る装身具用の装飾体襟保持具の使用状態を示す正面図である。
【図１４】この発明の第７の実施例に係る装身具用の装飾体襟保持具の使用状態を示す背面図である。
【図１５】この発明の第８の実施例に係る装身具用の装飾体襟保持具の使用状態を示す正面図である。
【図１６】この発明の第８の実施例に係る装身具用の装飾体襟保持具の平面図である。
【図１７】この発明の第８の実施例に係る装身具用の装飾体襟保持具の使用状態を示す背面図である。
【図１８】この発明の第９の実施例に係る装身具用の装飾体襟保持具の使用状態を示す側面図である。
【図１９】（ａ）は、この発明の第９の実施例に係る装身具用の装飾体襟保持具の斜視図である。
（ｂ）は、図１８の一部断面図を含む要部拡大図である。
【図２０】（ａ）は、この発明の第９の実施例に係る装身具用の装飾体襟保持具の使用状態における要部拡大正面図である。
（ｂ）は、この発明の第９の実施例に係る装身具用の装飾体襟保持具の使用状態における要部拡大断面図である。
【図２１】（ａ）は、この発明の第１０の実施例に係る装身具用の装飾体襟保持具の使用状態を示す側面図である。
（ｂ）は、この発明の第１０の実施例に係る装身具用の装飾体襟保持具の一部破断図を含む要部拡大正面図である。
（ｃ）は、図２１（ｂ）の要部拡大断面図である。
【図２２】（ａ）は、この発明の第１０の実施例に係る装身具用の装飾体襟保持具の使用状態を示す一部断面図を含む背面図である。
（ｂ）は、図２２（ａ）の要部拡大図である。
【符号の説明】
１０，５０，６０，７０，８０　装身具用の装飾体襟保持具、
９０，１００，１１０，１２０，１３０　装身具用の装飾体襟保持具、
１１ａ〜１１ｄ　襟、
１２，１２Ａ〜１２Ｒ　装飾体、
１３，１３Ａ〜１３Ｒ　襟枠、
１３１　緩衝部材、
１３ｄ　分岐枠、
１３ｅ　掛止補助部材、
１５１　連結リング（連結部材）。